(57)【要約】  【課題】  弁の開閉に伴う湯水の流通不良を防止可能な浴槽連結装置の提供を目的とした。  【解決手段】  浴槽連結装置１は、仕切部材２２の仕切壁８０に設けられた弁取り付け部１１２，１１３に導入弁１１０，１１１が取り付けられている。導入弁１１０，１１１の可動領域を仕切壁８０に対向する位置にある背面壁４４，２１２側に投影して形成される領域Ｐ１，Ｐ２や領域Ｒ１，Ｒ２は、接続管１５，１６に繋がる内連通孔４８や外連通孔７０の開口領域から外れている。そのため、浴槽連結装置１は、仕切部材２２が薄く、浴槽への取り付け時に浴槽側に突出する突出量が小さい。【選択図】  図１０
2006105549.tif 000002
【特許請求の範囲】
【請求項１】
浴槽に対して固定され、浴槽と熱源装置とを繋ぐ配管に接続される浴槽連結装置において、
熱源装置と浴槽とを繋ぐ配管に接続される接続部と、
当該接続部を介して流出入する湯水の流れを阻止可能な弁と、
当該弁を内蔵した仕切部材を有し、
仕切部材は、浴槽連結装置の設置時に浴槽の壁面に沿う方向に広がる第一の仕切壁と、当該第一の仕切壁に対向する第二の仕切壁と、第一の仕切壁および第二の仕切壁によって挟まれた湯水流通空間とを有し、
前記第一の仕切壁には、浴槽の内側との湯水の往来を許す浴槽側開口が設けられており、
前記第二の仕切壁には、接続部側との湯水の往来を許す接続部側開口が設けられており、
前記弁は、第一の仕切壁に対して近接、離反することにより浴槽側開口を開閉する可動部を有し、
接続部側開口の開口領域の一部あるいは全部が可動部の可動領域から外れた位置に存在することを特徴とする浴槽連結装置。
【請求項２】
浴槽に対して固定され、浴槽と熱源装置とを繋ぐ配管に接続される浴槽連結装置において、
熱源装置と浴槽とを繋ぐ配管に接続される接続部と、
当該接続部を介して流出入する湯水の流れを阻止可能な弁と、
当該弁を内蔵した仕切部材を有し、
仕切部材は、浴槽連結装置の設置時に浴槽の壁面に沿う方向に広がる第一の仕切壁と、当該第一の仕切壁に対向する第二の仕切壁と、第一の仕切壁および第二の仕切壁によって挟まれた湯水流通空間とを有し、
前記第一の仕切壁には、浴槽の内側との湯水の往来を許す浴槽側開口が設けられており、
前記第二の仕切壁には、接続部側との湯水の往来を許す接続部側開口が設けられており、
前記弁は、第一の仕切壁に対して近接、離反することにより浴槽側開口を開閉するものであり、
接続側開口の開口領域の一部または全部が、浴槽側開口の開口を開閉する弁の取り付け領域を第二の仕切壁側に投影した投影領域から外れた位置に存在することを特徴とする浴槽連結装置
【請求項３】
弁の一部または全部を収容する座繰り部が第一の仕切壁に設けられていることを特徴とする請求項１または２に記載の浴槽連結装置。
【請求項４】
仕切部材は、第一の仕切壁と、当該第一の仕切壁に対して立設された周壁とを有する固定体と、第二の仕切壁を有する分離体とを組み合わせて構成されるものであり、
前記分離体が前記固定体の周壁によって囲まれた領域内に嵌め込まれることを特徴とする請求項１乃至３のいずれかに記載の浴槽連結装置。
【請求項５】
仕切部材に取り付けられるフィルター部材を有し、当該フィルター部材と第一の仕切壁との間には、浴槽連結装置を浴槽に設置した状態で浴槽側から湯水を導入可能な吸い込み室が形成されており、当該吸い込み室に流入した湯水が浴室側開口を介して流入可能なものであり、
弁は、可動部と可動部に対して立設された支持部とを有し、当該支持部を第一の仕切壁側に固定することにより支持され、仕切部材の内側から浴室側開口を閉塞可能なものであることを特徴とする請求項１乃至４のいずかに記載の浴槽連結装置。
【請求項６】
弁は、可動部が可撓性を有し、支持部が可動部に対して立設された軸によって構成された傘型弁であることを特徴とする請求項５に記載の浴槽連結装置。
【発明の詳細な説明】
【技術分野】
【０００１】
本発明は、浴槽に取り付けられ、熱源装置と浴槽とを繋ぐ循環流路に接続される浴槽連結装置に関するものである。
【背景技術】
【０００２】
従来より、浴槽内への湯水の落とし込みや、熱源装置と浴槽とを繋ぐ循環流路に浴槽内の湯水を循環させるために、下記特許文献１に開示されているような浴槽連結装置が浴槽の壁面に固定されている。浴槽連結装置は、浴槽側に向けて湯水を吐出するための吐出口と、浴槽内の湯水を吸い込むための吸い込み口とを有する。
【０００３】
下記特許文献１に開示されている浴槽連結装置では、浴槽に対して固定された内嵌合部材とフィルター部材との間に仕切部材と称される部材が介在している。仕切部材は、本体部と底板とを組み合わせて構成されるものであり、フィルター部材に対向する本体部の仕切壁と、設置状態において浴槽の壁面に沿って広がる底板側のフランジ部との間に湯水が流れる二つの流路が設けられている。この浴槽連結装置は、仕切壁に設けられた２つの弁取り付け部に導入弁が取り付けられている。導入弁は、弁取り付け部に設けられた開口を閉塞可能な可動部を有する。
【特許文献１】特開２００１−１３３０４５号  公報
【０００４】
上記特許文献１に開示されている浴槽連結装置では、浴槽側から流入する水圧の影響等で導入弁の可動部が仕切部材の内側に撓み、開口を開く構成とされている。すなわち、導入弁は、可動部が本体部の仕切壁に近接、離反することにより開口を開く構成とされている。
【０００５】
上記特許文献１に開示されている浴槽連結装置は、底板側のフランジ部に接続部に繋がる管状部の開口や貫通孔を有する。この管状部の開口や貫通孔は、仕切壁に設けられた弁取り付け部や導入弁に対向する位置に存在する。また、導入弁は、可動部が仕切部材の内側に撓んだ状態において可動部を底板のフランジ部に投影して形成される領域が底板側の開口や貫通孔の全領域を含んでいる。
【発明の開示】
【発明が解決しようとする課題】
【０００６】
上記特許文献１に開示されているような浴槽連結装置は、浴槽の壁面から突出した状態で取り付けられるため、入浴の妨げになる可能性がある。ここで、上記特許文献１に開示されている浴槽連結装置のうち、浴槽の内側に突出する部分の大きさに最も影響を与えるのは仕切部材である。そこで、かかる知見に基づき、本発明者らは、仕切部材を薄型化した浴槽連結装置を試作し、実験を重ねた。その結果、本発明者らは、仕切部材を薄型化すると、仕切壁に取り付けられた導入弁の可動部が底板側に撓んだ際に、フランジ部に開口した管状部の開口や貫通孔に覆い被さって接続部側への湯水の流れを阻止してしまい、仕切部材内における湯水の流通不良が発生する可能性があることを見いだした。
【０００７】
そこで、本発明では、弁の開閉に伴う湯水の流通不良を防止可能な浴槽連結装置の提供を目的とした。
【課題を解決するための手段】
【０００８】
上記した問題を解決すべく提供される請求項１に記載の発明は、浴槽に対して固定され、浴槽と熱源装置とを繋ぐ配管に接続される浴槽連結装置において、熱源装置と浴槽とを繋ぐ配管に接続される接続部と、当該接続部を介して流出入する湯水の流れを阻止可能な弁と、当該弁を内蔵した仕切部材を有し、仕切部材は、浴槽連結装置の設置時に浴槽の壁面に沿う方向に広がる第一の仕切壁と、当該第一の仕切壁に対向する第二の仕切壁と、第一の仕切壁および第二の仕切壁によって挟まれた湯水流通空間とを有し、前記第一の仕切壁には、浴槽の内側との湯水の往来を許す浴槽側開口が設けられており、前記第二の仕切壁には、接続部側との湯水の往来を許す接続部側開口が設けられており、前記弁は、第一の仕切壁に対して近接、離反することにより浴槽側開口を開閉する可動部を有し、接続部側開口の開口領域の一部あるいは全部が可動部の可動領域から外れた位置に存在することを特徴とする浴槽連結装置である。
【０００９】
かかる構成によれば、弁の開閉に伴って弁の可動部が第一の仕切壁に対して離反し、浴槽側開口が開いても、第二の仕切壁に設けられた接続部側開口への湯水の流れは阻止されない。従って、本発明の浴槽連結装置では、弁の開閉に伴う湯水の流通不良が発生しない。
【００１０】
本発明の浴槽連結装置は、弁の可動部の可動領域と接続部側開口の開口領域が離れているため、第一の仕切壁と第二の仕切壁との間隔を狭くしても湯水のの流通不良が発生しない。従って、本発明によれば、仕切部材を薄型化でき、浴槽連結装置の装置構成をコンパクト化することができる。
【００１１】
また、同様の知見に基づいて提供される請求項２に記載の発明は、浴槽に対して固定され、浴槽と熱源装置とを繋ぐ配管に接続される浴槽連結装置において、熱源装置と浴槽とを繋ぐ配管に接続される接続部と、当該接続部を介して流出入する湯水の流れを阻止可能な弁と、当該弁を内蔵した仕切部材を有し、仕切部材は、浴槽連結装置の設置時に浴槽の壁面に沿う方向に広がる第一の仕切壁と、当該第一の仕切壁に対向する第二の仕切壁と、第一の仕切壁および第二の仕切壁によって挟まれた湯水流通空間とを有し、前記第一の仕切壁には、浴槽の内側との湯水の往来を許す浴槽側開口が設けられており、前記第二の仕切壁には、接続部側との湯水の往来を許す接続部側開口が設けられており、前記弁は、第一の仕切壁に対して近接、離反することにより浴槽側開口を開閉するものであり、接続側開口の開口領域の一部または全部が、浴槽側開口の開口を開閉する弁の取り付け領域を第二の仕切壁側に投影した投影領域から外れた位置に存在することを特徴とする浴槽連結装置である。
【００１２】
本発明の浴槽連結装置では、接続側開口の開口領域が、浴槽側開口を開閉するために取り付けられた弁の取り付け領域を第二の仕切壁に投影して形成される投影領域から離れているため、前記弁が動作しても接続側開口全体が弁によって覆われてしまう不具合は発生しない。従って、上記した構成によれば、弁が開閉しても仕切部材内において湯水の流れが阻害されない浴槽連結装置を提供できる。
【００１３】
本発明の浴槽連結装置は、弁が開閉しても浴槽側開口の閉塞が起こらないため第一の仕切壁と第二の仕切壁との間隔を狭くし、仕切部材を薄型化することができる。そのため、本発明によれば、薄型でコンパクトな構成の浴槽連結装置を提供できる。
【００１４】
請求項３に記載の発明は、弁の一部または全部を収容する座繰り部が第一の仕切壁に設けられていることを特徴とする請求項１または２に記載の浴槽連結装置である。
【００１５】
かかる構成によれば、弁の可動部の可動領域をより一層第一の仕切壁側に寄せることができる。従って、本発明によれば、可動部の動作に伴う浴槽側開口の閉塞を確実に防止できる。
【００１６】
ここで、上記した浴槽連結装置は、いずれも弁の可動部が動作しても接続部側開口の閉塞が起こらない。そのため、上記請求項１乃至３のいずれかに記載の浴槽連結装置は、仕切部材が、第一の仕切壁と、当該第一の仕切壁に対して立設された周壁とを有する固定体と、第二の仕切壁を有する分離体とを組み合わせて構成されるものであり、前記分離体が前記固定体の周壁によって囲まれた領域内に嵌め込まれることを特徴とするものとすることができる。（請求項４）
【００１７】
かかる構成によれば、仕切部材をより一層薄型化でき、浴槽連結装置全体をコンパクトな構成とすることができる。
【００１８】
上記請求項１乃至４のいずかに記載の浴槽連結装置は、仕切部材に取り付けられるフィルター部材を有し、当該フィルター部材と第一の仕切壁との間には、浴槽連結装置を浴槽に設置した状態で浴槽側から湯水を導入可能な吸い込み室が形成されており、当該吸い込み室に流入した湯水が浴室側開口を介して流入可能なものであり、弁が、可動部と可動部に対して立設された支持部とを有し、当該支持部を第一の仕切壁側に固定することにより支持され、仕切部材の内側から浴室側開口を閉塞可能なものであってもよい。（請求項５）
【００１９】
また、上記請求項５に記載の浴槽連結装置において、弁は、可動部が可撓性を有し、支持部が可動部に対して立設された軸によって構成された傘型弁であることを特徴とするものであってもよい。（請求項６）
【発明の効果】
【００２０】
本発明によれば、仕切部材に装着された弁の開閉に伴う湯水の流通不良を防止でき薄型の浴槽連結装置を提供できる。
【発明を実施するための最良の形態】
【００２１】
（第１実施形態）
続いて、本発明の一実施形態である浴槽連結装置について、図面を参照しながら詳細に説明する。なお、以下の説明において上下左右や表裏の位置関係は、特に断りのない限り本実施形態の浴槽連結装置１を図２に示すような姿勢で浴槽５に取り付け、浴槽５の内側から観察した際の姿勢を基準とする。また、図１１および図２４（ｂ）は、それぞれ流路形成部４５およびフィルター部材２３を裏面側から観察したものであるため、他の図面に対して左右の位置関係が逆転している。
【００２２】
浴槽連結装置１は、図１に示すように先端部２と後端部３とに大別される。浴槽連結装置１は、図２に示すように浴槽５の内壁面に固定され、先端部２が浴槽５の内側に露出するように固定される。浴槽連結装置１は、熱源装置４００から流出する湯水が流れる往き配管４０１と、浴槽５から熱源装置４００に戻る湯水が流れる戻り配管４０２とに接続され、浴槽５への湯水の落とし込みや、浴槽５と熱源装置４００との間において湯水を循環させるために使用されるものである。
【００２３】
後端部３は、浴槽連結装置１を浴槽５に取り付けた時に浴槽５の外部に配される部位であり、二つの接続配管１５，１６を有する。接続配管１５，１６は、浴槽連結装置１の後端部３側に突出した金属管である。接続配管１５，１６の先端には、往き配管４０１および戻り配管４０２をロウ付け接合するための管端や公知のユニオン継手のような配管接続部材１７等が取り付けられている。
【００２４】
続いて、浴槽連結装置１の具体的な構造について説明する。浴槽連結装置１は、図３及び図４の様に、外嵌合部材２０、内嵌合部材２１、仕切部材２２及びフィルター部材２３によって構成されている。また、図３に示すように、外嵌合部材２０と内嵌合部材２１との間には、浴槽５等からの水漏れを防止するためにパッキン２５，２６が配されている。
【００２５】
外嵌合部材２０は、銅合金、鋳物、ステンレススチール等の錆に強い金属や、高強度の樹脂を素材として作られたものである。外嵌合部材２０は、有底の本体部２７を有し、この本体部２７の開口端にフランジ２８を形成したものである。また、図４に示すように、本体部２７の内周面には、雌ネジが設けられている。本体部２７の内部には、底部３０の略中央部から垂直に突出した接続管３１が設けられている。
【００２６】
本体部２７の底部３０には、接続配管１５，１６がろう付けされ接続されている。接続配管１５，１６は、それぞれ本体部２７の内部空間と連通している。接続配管１５は、本体部２７の中心に接続されており、底部３０の内側に突出した接続管３１の内側に形成された中央空間３２と連通している。また、接続配管１６は、底部３０の中央を外れた位置に接続されている。そのため、接続配管１６は、本体部２７の内部空間のうち、接続管３１の外周部分に形成された外周空間３３と連通している。
【００２７】
内嵌合部材２１は、樹脂によって作られ、図３や図４に示すようにフランジ部３５と筒状部３６とを有する。内嵌合部材２１の中央部には、貫通孔３７が設けられている。貫通孔３７の内径は、図３に示すように外嵌合部材２０に設けられた接続管３１の外形よりも大きい。
【００２８】
筒状部３６は、表面に雄ネジが形成された筒状の部位である。筒状部３６の外周には雄ネジが形成されている。そのため、内嵌合部材２１は、筒状部３６を外嵌合部材２０の本体部２７に設けられた雌ネジにネジ込むことにより外嵌合部材２０と一体化される。図５に示すように、筒状部３６の内側であって、筒状部３６の延伸方向の中間位置には、貫通孔３７の中心側に向けて突出した内フランジ部３９ａが設けられている。内フランジ部３９ａの中央には、開口形状が六角形の冶具係合部３９ｂが形成されている。冶具係合部３９ｂは後述する施工冶具１８０を係合させるための孔である。筒状部３６の内側には、フランジ部３５側の端部から冶具係合部３９ｂに至る部分に後述する漏水検査冶具１９０を装着するための雌ネジ３９ｃが形成されている。
【００２９】
フランジ部３５は、筒状部３６の一端側に形成され、筒状部３６の外側に向けて突出した円盤状の部位である。フランジ部３５には、筒状部３６の開口部分の周囲に８つのネジ用下穴３８が形成されている。これは、外嵌合部材２０に対して内嵌合部材２１を装着した際に、浴槽５の壁面の厚みやパッキン２５，２６の厚み等の影響によってネジ用下穴３８の位置が成り行きの位置となっても、後述する仕切部材２２やフィルター部材２３によって構成される吐出口１２，１３の開口方向、すなわち吐出口１２，１３から吐出される湯水の吐出方向が大きく変わらないように配慮したものである。
【００３０】
さらに具体的に説明すると、浴槽５内への湯水の落とし込みや浴槽５内の湯水の追い焚きを行う場合、浴槽５内の湯水の攪拌効率を考慮すると湯水を浴槽５に対して下方に吐出することが望ましい。そのため、浴槽連結装置１は、吐出口１２，１３が共に下方に向くように設置されることが望ましい。
【００３１】
ここで、本実施形態の浴槽連結装置１では、図４に示すように吐出口１２，１３を構成する仕切部材２２をフランジ部３５に３箇所でネジ止めする構成とされている。そのため、例えばフランジ部３５にネジ用下穴３８が３つしか設けられていない構成とした場合は、外嵌合部材２０と内嵌合部材２１との締結状態によっては、吐出口１２，１３の位置が最大でフランジ３５の周方向に６０度もずれてしまうことになる。
【００３２】
そこで、本実施形態では、ネジ用下穴３８をフランジ部３５の周方向に８つ設けた構成とし、これらのうちから適宜３つのネジ用下穴３８を選択して仕切部材２２のネジ止めする構成としている。かかる構成とした場合、外嵌合部材２０と内嵌合部材２１との締結状態による吐出口１２，１３の位置ズレはフランジ３５の周方向に２２．５度以下の範囲内に納まる。そのため、本実施形態の浴槽連結装置１は、外嵌合部材２０と内嵌合部材２１との締結状態にかかわらず吐出口１２，１３を浴槽５の下方に向けて設置でき、浴槽連結装置１から吐出される湯水によって浴槽５内の湯水を十分攪拌することができる。なお、吐出口１２，１３を確実に下方に向けるためにはネジ用下穴３８の数は多い方が望ましいが、ネジ用下穴３８の数はこれより多くても少なくてもよい。
【００３３】
仕切部材２２は、図３や図４に示すように、本体部４０（固定体）と弁収容部４１（分離体）とに大別される。また、観点を変えると、仕切部材２２は、管状部４３と流路構成体５０とに大別することも可能である。本体部４０は、樹脂によって成型された部材であり、管状部４３と流路形成部４５とが一体化されたものである。管状部４３は、図４に示すように流路形成部４５の背面壁４４（第二の仕切壁）の裏面から突出した筒状の部位であり、外径が接続管３１の内径と略同一とされている。管状部４３は、先端（流路形成部４５の裏面側）に段部４６が形成されており、この段部４６にゴム製のＯリング４７が嵌め込まれた構成を有する。管状部４３は、流路形成部４５の中央から一方に向けて突出した部分であり、流路形成部４５の中央近傍に設けられた内連通孔４８に連通している。
【００３４】
流路形成部４５は、樹脂によって成型されたものであり、弁収容部４１と組み合わさった状態で流路構成体５０を構成するものである。流路形成部４５は、図４や図６に示すように背面壁４４の表面側に周壁部５５や流路形成壁５６（凸部）等が突出した構成を有する。背面壁４４は、後述する弁収容部４１の吐出部１４０，１４１に相当する部位が欠落した欠落部５１が２つ形成されている。すなわち、背面壁４４は、円板から欠落部５１に相当する部位を切り欠いたような略扇形の壁面である。
【００３５】
流路形成部４５は、図３や図４、図６等に示すように仕切部材２２と組み合わせた時に裏面が内嵌合部材２１のフランジ部３５に面接触するものであり、３つの貫通穴５２が設けられている。流路形成部４５は、８つのネジ用下穴３８から選択される３つのネジ用下穴３８と貫通穴５２とを位置合わせし、ネジ用下穴３８と貫通穴５２に渡って３本のネジ５３をねじ込むことにより内嵌合部材２１に固定される。なお、流路形成部４５の固定に当たっては、いずれのネジ用下穴３８と貫通穴５２とを位置合わせしてネジ止めしてもよいが、浴槽連結装置１による湯水の攪拌効率を考慮すると、欠落部５１，５１がなるべく下方を向くようにネジ用下穴３８を選択してネジ止めすることが望ましい。
【００３６】
流路形成部４５は、図４や図６に示すように表面側（管状部４３とは反対側）に背面壁４４に対して垂直に立設された円弧状の周壁部５５と、流路形成壁５６とを有する。流路形成部４５は、周壁部５５と流路形成壁５６とによって上方領域５７および下方領域５８と、流路形成領域６０，６１の４つの領域に分割されている。
【００３７】
周壁部５５は、流路形成部４５の外周に沿って形成された円弧状の壁面であり、欠落部５１，５１に相当する部位が欠落している。欠落部５１は、吐出部１４０，１４１に装着される吐出弁１２５，１２６の可動領域に相当する部位であり、縁端部分が吐出弁１２５の弁座の一部として機能する。さらに具体的には、欠落部５１は、図６（ｂ）に示すように、背面壁４４のうち仕切部材２２の内側に向く面４４ａ上に広がる仮想平面Ｈを想定した場合に、この仮想平面Ｈと吐出弁１２５，１２６の可動部１２８が動作することにより形成される軌跡との交差部分に相当する位置に可動部１２８の動作を阻害しないように設けられた部位である。
【００３８】
欠落部５１，５１は、図６（ａ）に示すように、共に中心Ｃ１を通る境界線Ｘ１よりも下方に位置している。また、欠落部５１，５１は、互いに流路形成部４５の周方向に１１０度程度ずれた位置関係にある。すなわち、流路形成部４５の中心Ｃ１と欠落部５１，５１の中央部Ｃ２，Ｃ３を通る線分Ｘ２，Ｘ３を想定した場合、この線分Ｘ２，Ｘ３のなす角θ１が１１０度程度となる。欠落部５１，５１のなす角θ１は、吐出口１２，１３のいずれから湯水を吐出する場合であっても、湯水が確実に浴槽５内を循環可能な構成とするために斜め下方に向けて吐出可能な角度とすることが望ましい。
【００３９】
流路形成壁５６は、図６に示すように周壁部５５よりも高さが高い壁面であり、縦断部６２と、縦断部６２に対して交差する横断部６３と、縦断部６２に連続した屈曲部６５，６６とから構成されている。縦断部６２は、大部分が流路形成部４５の中心と欠落部５１，５１の中間部分を通る線分Ｘ４上に形成されており、流路形成領域６０，６１を分断する壁面である。縦断部６２は、流路形成部４５の中央部から外周部に向かってまっすぐ延伸している。縦断部６２の末端部分は、屈曲部６５，６６に繋がっている。屈曲部６５，６６は、流路形成領域６０，６１の内側に向けて湾曲しており、その末端部分に欠落部５１の外形に沿う吐出口形成部５９（カバー部側突出部）が形成されている。横断部６３は、平面視で縦断部６２に対して略垂直な方向（横方向）に延伸し、流路形成領域６０，６１と上方領域５７とを分断する壁面である。横断部６３の両端部分には、欠落部５１の外形に沿う形状に屈曲した吐出口形成部６４が形成されている。
【００４０】
上方領域５７は、周壁部５５と流路形成壁５６の横断部６３とによって囲まれる空間であり、図２に示すような姿勢で浴槽連結装置１を取り付けた際に上方に位置する領域である。上方領域５７の内部には、上記した貫通穴５２が２つ形成されており、その略中央部分に円筒形の磁石６７が固定されている。また下方領域５８は、屈曲部６５，６６および周壁部５５によって囲まれ、本体部４０を内嵌合部材２１にネジ止めするための貫通穴５２が１つ設けられた領域である。また、下方領域５８の内部には、直方体状の磁石６８が固定されている。
【００４１】
流路形成領域６０，６１は、本体部４０に対して弁収容部４１を装着した際に水室Ｒ，Ｌ（湯水流通空間）を形成する部分である。流路形成領域６０，６１は、流路形成壁５６の横断部６３および縦断部６２と屈曲部６５あるいは屈曲部６６によって囲まれ、欠落部５１，５１において外部に連通した領域である。流路形成領域６０，６１は、縦断部６２を境として互いに対称な形状とされている。すなわち、流路形成領域６０，６１は、背面壁４４に沿って広がる仮想平面Ｈによる断面形状が背面壁４４の中心を通る仮想平面Ｐ１を介して対称であり、断面積の比がほぼ１対１となっている。
【００４２】
流路形成領域６０には、開口形状が扇面状に湾曲した外連通孔７０と、突起７１とが設けられている。外連通孔７０は、流路形成部４５の裏面側に貫通した貫通孔であり、管状部４３の外側に連通している。また、外連通孔７０は、本体部４０を内嵌合部材２１と組み合わせた際に貫通孔３７に連通する位置に形成されている。流路形成領域６１は、内部に開口形状が三日月状の内連通孔４８と、突起７２とが設けられている。内連通孔４８は、流路形成部４５の裏面側に突出した管状部４３に連通している。内連通孔４８および外連通孔７０は、共に背面壁４４の中心Ｃ１近傍に形成されている。さらに具体的には、図６（ａ）に示すように、内連通孔４８および外連通孔７０は、それぞれ中心Ｃ１を中心とし、半径ｔの円形領域Ｆ１内に存在している。半径ｔは、背面壁４４の外接円の半径Ｔの約１／２〜１／４の範囲内にある。本実施形態では、半径ｔは、半径Ｔの１／３程度とされている。突起７１，７２は、互いに対称な位置関係にあり、後述する弁収容部４１の導入弁取り付け部１１２，１１３の略中央部に相当する位置に設けられている。
【００４３】
弁収容部４１は、導入弁１１０，１１１や吐出弁１２５，１２６を備えたものであり、図３や図４等に示すように本体部４０の表面側に装着されることによって流路構成体５０を構成するものである。
弁収容部４１は、図４や図８、図１１等に示すように、円盤状の仕切壁８０（第一の仕切壁）と、仕切壁８０の外周に沿って形成された周壁部８５と、周壁部８５と同一方向に突出した流路形成壁８６とを有する。
弁収容部４１は、図４や図１１に示すように、円盤状の仕切壁８０に２つの導入部８１，８１を形成したものである。導入部８１，８１は、双方とも弁収容部４１の中央を外れた位置に存在する。導入部８１は、軸挿通孔８２を中心としてその周囲に扇形の開口８３（浴槽側開口）を周方向に略等間隔となるように６つ形成したものである。開口８３は、それぞれ弁収容部４１の内外を連通している。
【００４４】
仕切壁８０は、図８に示すように軸挿通孔８２の周囲が表面側に向けて肉厚に成形されている。また、軸挿通孔８２は、後述する導入弁１１０，１１１の軸部１１６が挿入される部分であり、この軸部１１６の係合部１２１が係合可能なように座繰り形状に成形されている。軸挿通孔８２，８２は、それぞれ弁収容部４１と本体部４０とを一体化した際に本体部４０側に設けられた突起７１，７２の位置と略合致する位置に設けられている。また、導入部８１，８１は、それぞれ弁収容部４１と本体部４０とを一体化した際に本体部４０に形成された流路形成領域６０，６１に連通する位置に形成されている。
【００４５】
仕切壁８０の表面側中央部には、突起８４が設けられている。仕切壁８０は、後述するフィルター部材２３によって突起８４が押圧され、背面壁４４側に押さえ込まれる。
【００４６】
弁収容部４１は、図１１に示すように本体部４０と同様に仕切壁８０の外周を取り巻く周壁部８５と、流路形成壁８６とを有する。周壁部８５は、裏面側に向けて突出しており、弁収容部４１の側面を構成するものである。
周壁部８５は、仕切壁８０の裏面側に突出した円弧状で流路形成壁８６よりも高い壁面であり、２箇所の欠落部８７を有する。
【００４７】
欠落部８７，８７は、弁収容部４１と本体部４０とが組み合わさった際に本体部４０側の欠落部５１，５１と共に吐出口１４０，１４１を構成するものである。
欠落部８７は、図１１に示すように仕切壁８０に沿って周方向に延伸する周壁部８５の一部が仕切壁８０の中心側に向けて「コ」字型に屈曲した部位である。さらに具体的には、欠落部８７は、仕切壁８０の外周に沿って延伸している周壁部８５に対して屈曲し、弁収容部４１の中心方向に向かって延伸する側壁面８８，８８（収容部側突出部）と、側壁面８８，８８間を繋ぐ開口形成面９０とから構成されている。欠落部８７は、図１１（ａ）に示す姿勢において仕切壁８０の中心Ｃ２を通る線分Ｘ６よりも下方にずれた位置に配されている。欠落部８７，８７は、互いに弁収容部４１の周方向に１１０度ずれた位置関係にある。さらに具体的には、欠落部８７，８７がなす角度θ２、すなわち仕切壁８０の中心Ｃ２と欠落部８７，８７の中央部とを結ぶ線分Ｘ７，Ｘ８を想定した場合にこのＸ７，Ｘ８がなす角度θ２は、流路形成部４５の欠落部５１，５１のなす角度θ１と同様に１１０度とされている。そのため、弁収容部４１と流路形成部４５とを組み合わせると、欠落部５１，８７の位置が合致する。
【００４８】
欠落部８７は周壁部８５が途切れた部位であり、互いに平行に配された側壁面８８，８８と、開口形成面９０とによって囲まれた「コ」字型の領域である。側壁面８８，８８は、弁収容部４１を本体部４０と組み合わせた際に本体部４０側の吐出口形成部５９，６４間に嵌り込んで面接触する部位である。
【００４９】
開口形成面９０は、弁収容部４１の周壁部８５に対して水平方向から視認可能な位置に形成された壁面である。開口形成面９０は、図９（ｃ）に示すように３つの小開口９１ａからなる開口９１を有する。換言すれば、開口形成面９０は、桟８９によって区切られた３つの小開口９１ａを有するものである。桟８９は、弁収容部４１の厚み方向に延伸したものであり、後述する吐出弁１２５，１２６の可動部１２８が開口形成面９０よりも弁収容部４１の内側に入り込むのを阻止する機能を有する。開口形成面９０は、後述する吐出弁１２５，１２６の可動部１２８が面接触する部位であり、開口９１は可動部１２８によって閉塞される部位である。すなわち、開口形成面９０は、吐出弁１２５，１２６の弁座として機能する部分である。
【００５０】
周壁部８５の外周面には、フィルター装着溝９２が周方向に所定の間隔を開けて３箇所設けられている。フィルター装着溝９２は、仕切部材２２に対してフィルター部材２３を装着する際に使用されるものである。フィルター装着溝９２は、図９（ｄ）に示すように仕切壁８０側から弁収容部４１の裏面側に向かって延伸する差込溝９３と、弁収容部４１の周方向に向かって延伸する周溝９５とが連続して形成される略「Ｌ」字形の溝である。周溝９５は、弁収容部４１を仕切壁８０側から観察した際に差込溝９３側から時計回り方向に延伸する溝である。周壁９５は、差込溝９３側の位置に弁収容部４１の裏面側に向かって徐々に傾斜した形状とされている。そのため、後述するフィルター部材２３の突起１５８をフィルター装着溝９２の差込溝９３に差し込んでフィルター部材２３を時計方向に回転させると、突起１５８が周溝９５に案内されて弁収容部４１の仕切壁８０に近接した状態となって装着される。
【００５１】
図１１に示すように、流路形成壁８６は、本体部４０の流路形成部４５に設けられている流路形成壁５６と略同一の形状を有するものであり、弁収容部４１の裏面側に形成された周壁部８５によって囲まれた空間を上方領域１０１、下方領域１０２および流路形成領域１０３，１０５に分割するものである。
流路形成壁８６は、流路形成壁５６と同様に縦断部９６、横断部９７および屈曲部９８，９９に大別される。流路形成壁８６は、図１１（ｂ）に示すように上端部、すなわち弁収容部４１の裏面側の端部に凹状の係合溝１００（凹部）が成形されている。係合溝１００は、弁収容部４１と本体部４０とを一体化した際に本体部４０側の流路形成壁５６（凸部）の先端部分が嵌り込み、弁収容部４１が本体部４０に対して相対回転するのを防止する回転阻止構造を形成するものである。
【００５２】
縦断部９６は、周壁部８５に設けられた２つの欠落部８７，８７の中間位置と、弁収容部４１の中心Ｃ２を通る線分Ｘ９上に形成され、流路形成領域１０３，１０５を分断する壁面である。縦断部９６の末端（下端）側には、屈曲部９８，９９が左右対称に形成されている。屈曲部９８，９９は、流路形成領域１０３，１０５の内側に向けて湾曲しており、その末端部分は欠落部８７の側壁面８８に沿うように屈曲している。また、横断部９７は、弁収容部４１の中心Ｃ２を通過する線分Ｘ６に対して大部分が平行であり、線分Ｘ６よりも上方に位置している。横断部９７は、上方領域１０１と流路形成領域１０３，１０５とを分断する壁面である。横断部９７の両端部分は、欠落部８７の側壁面８８に沿うように屈曲している。
【００５３】
上方領域１０１は、弁収容部の上方に形成される弓形の領域であり、円柱状の磁石１０６が固定されている。また同様に、下方領域１０２内には、直方体状の磁石１０７が固定されている。磁石１０６，１０７は、流路形成部４５に固定されている磁石６７，６８に相当する位置に固定されている。磁石１０６，１０７は、流路形成部４５に固定されている磁石６７，６８との間に吸着力が発生するように磁極の向きが調整されている。
【００５４】
流路形成領域１０３，１０５は、本体部４０と弁収容部４１とを一体化した際に独立した水室Ｌ，Ｒを形成するものであり、流路形成壁８６の一部をなす縦断部９６を介して形状および構造が対称とされている。すなわち、流路形成領域１０３，１０５は、断面形状が仕切壁８０の中心を通る仮想平面Ｕ２を介して対称であり、断面積の比がほぼ１対１となっている。
【００５５】
流路形成領域１０３，１０５には、それぞれ上記した導入部８１，８１の軸挿通孔８２，８２および開口８３，８３が形成されている。軸挿通孔８２および開口８３は、流路形成領域１０３，１０５の略中央に位置し、導入弁１１０，１１１を取り付けるための導入弁取り付け部１１２，１１３（弁座）として機能する部分である。上記したように、導入弁取り付け部１１２，１１３には、導入弁１１０，１１１を固定するための軸挿通孔８２の座繰り構造が形成されているが、座繰り構造を形成するために肉厚となった部分は仕切壁８０の表面側に突出しており、裏面側（流路形成領域１０３，１０５の内側）には突出していない。すなわち、導入弁１１０，１１１の弁座として機能する導入弁取り付け部１１２，１１３は、仕切壁８０の他の部位と同様に平坦である。
【００５６】
導入弁１１０，１１１は、ゴムによって作製されたものであり、図１２に示す様な傘形状をしている。導入弁１１０，１１１は、円盤状の弁体部１１５（可動部）と軸部１１６（支持部）とにより構成されている。弁体部１１５は、シート状に成形されており、可撓性がある。弁体部１１５は、外周部分がやや軸部１１６側に開いた形状をしており、リブ１１７が設けられている。また、軸部１１６は、弁体部１１５の付け根の部位１１８が太く、その先の装着部１２０がやや細い。また、装着部１２０の先の係合部１２１は、装着部１２０よりも太く作られている。係合部１２１のさらに先端側には、導入部１２２が成形されている。導入部１２２は、他のどの部分よりも細く作られており、導入弁１１０，１１１を導入弁取り付け部１１２，１１３に取り付ける際に軸挿通孔８２に挿入され、引っ張られる部分である。導入部１２２は、導入弁１１０，１１１の装着後に切断される。
【００５７】
一方、仕切壁８０の欠落部８７，８７に相当する位置は、後述する吐出弁１２５，１２６の軸部１３０を固定するための吐出弁取り付け部１４２，１４３として機能する部位である。吐出弁取り付け部１４２，１４３には、挿通するための軸挿通孔１２４が２つずつ設けられている。吐出弁１２５，１２６は、図１３のように断面形状が略「Ｌ」字形の弁であり、いわゆるスイング型と称される形態の弁である。吐出弁１２５，１２６は、ゴムのような可撓性を有する素材によって作られたものである。
【００５８】
吐出弁１２５，１２６は、平板状の台座部１２７に対して板状の可動部１２８が交差するように形成されたものである。吐出弁１２５，１２６は、台座部１２７を固定すると、可動部１２８が台座部１２７に対して近接あるいは離反する方向に撓むものである。台座部１２７は、弁収容部４１の仕切壁８０の形状に合わせて円弧状に形成されている。また、台座部１２７の背面には、二つの軸部１３０が設けられている。軸部１３０の形状は、前記した導入弁１１０，１１１の軸部１１６と略同様であり、やや細く作られた装着部１３１と、装着部１３１の先に設けられた太い係合部１３２と、その先端に設けられたさらに細い導入部１３３とから構成されている。
【００５９】
一方、可動部１２８は、台座部１２７よりも薄く作られており、先端側が弁収容部４１の形状に合わせて略円弧形状とされている。可動部１２８は、台座部１２７に対する付け根部分１３５がアール形状にえぐられている。そのため、可動部１２８は、図１３（ｂ）や図１３（ｃ）に矢印で示すように台座部１２７に近接する方向に変形しやすい。可動部１２８の付け根部１３５とは反対側の端部には、補強リブ１３６が設けられている。
【００６０】
吐出弁１２５，１２６は、図１４のように、可動部１２８の背面を弁収容部４１の開口形成面９０側に向けた姿勢として欠落部８７に設けられた軸挿通孔１２４，１２４に軸部１３０を挿入し、軸部１３０を弁収容部４１の外側（仕切壁８０側）に引っ張って係合部１３２を軸挿通孔１２４に嵌め込むことにより装着されている。これにより、吐出弁１２５，１２６は、図３等に示すように台座部１２７が仕切壁８０側を向き、可動部１２８が開口形成面９０の開口９１を閉塞するように固定されている。すなわち、吐出弁１２５，１２６が装着されると、可動部１２８の背面が開口形成面９０の外側（弁収容部４１の周壁部８５側）にぴったりと面接触した状態となる。
【００６１】
弁収容部４１は、図４に示すように導入弁１１０，１１１や吐出弁１２５，１２６が流路形成部４５側を向き、欠落部５１，８７や流路形成壁５６，８６の位置をあわせた姿勢とされて本体部４０の流路形成部４５に装着される。この時、弁収容部４１側に固定されている磁石１０６，１０７と流路形成部４５側に固定されている磁石６７，６８とが引きあう。これにより、弁収容部４１が、流路形成部４５に対してしっかりと固定された状態となる。
【００６２】
上記したようにして弁収容部４１を流路形成部４５に対して固定すると、流路形成部４５側の流路形成壁５６が、弁収容部４１側の流路形成壁８６の係合溝１００に嵌り込んで回転阻止構造が形成されると共に水密状態となり、流路構成体５０が形成される。また、弁収容部４１と流路形成部４５とを組み合わせると、図１５に示すように弁収容部４１の欠落部８７，８７を構成する側壁面８８が、流路形成部４５の欠落部５１を構成する吐出口形成部５９，６４の間に嵌り込んで面接触し、回転阻止構造を形成する。これにより、図１４に示すように欠落部５１，８７と、流路形成部４５が装着された内嵌合部材２１のフランジ部３５とが組み合わさり、吐出部１４０，１４１が形成される。
【００６３】
弁収容部４１と流路形成部４５とを組み合わせると、流路形成部４５側の流路形成領域６１と弁収容部４１側の流路形成領域１０３とが組み合わさり、水室Ｒが形成される。また同様に、流路形成部４５側の流路形成領域６０と弁収容部４１側の流路形成領域１０５とが組み合わさり、水室Ｌが形成される。水室Ｒ，Ｌは、それぞれ流路形成壁５６，８６によって区切られ、独立した空間を形成している。
【００６４】
水室Ｒは、弁収容部４１の仕切壁８０の内側に設けられた導入弁取り付け部１１２に導入弁１１０が取り付けられ、吐出部１４０に吐出弁１２５が取り付けられた空間である。水室Ｒは、流路形成部４５の背面壁４４に設けられた内連通孔４８を介して管状部４３と連通している。
【００６５】
一方、水室Ｌは、仕切壁８０の導入弁取り付け部１１３に導入弁１１１が取り付けられ、吐出部１４１に吐出弁１２６が取り付けられた空間である。また、水室Ｌは、背面壁４４に設けられた外連通孔７０を介して管状部４３の外側の空間に連通している。
【００６６】
吐出部１４０，１４１は、図３に示すようにフィルター部材２３の吐出開口１５４，１５９と組み合わさって吐出口１２，１３を構成するものであり、水室Ｒ，Ｌから吐出開口１５４，１５９に繋がる流路Ａ，Ｂの中途部分を構成する。流路Ａ，Ｂは、水室Ｒ，Ｌを中心として構成される互いに独立した流路であり、導入弁１１０，１１１と吐出弁１２５，１２６をそれぞれ１つずつ具備している。
【００６７】
導入弁１１０，１１１は、図８（ｃ）に示すように水室Ｒ，Ｌの導入弁取り付け部１１２，１１３に取り付けられ、仕切壁８０の外側から水室Ｒ，Ｌの中に入る方向の水流を許し、逆を阻止する弁である。ここで、上記したように、導入弁１１０，１１１は、導入弁取り付け部１１２，１１３が平坦であるため、図１０（ａ）のように常時は導入弁取り付け部１１２，１１３に密着し、開口８３を閉じた状態となっている。一方、仕切壁８０の外部から開口８３を介して流入しようとする湯水による水圧が弁体部１１５にかかったり、本体部４０と弁収容部４１とを組み合わせて構成される水室Ｒ，Ｌ内が負圧になると、図１０（ｂ）や図１０（ｃ）に二点鎖線で示すように弁体部１１５が水室Ｒ，Ｌの内側に向けて撓み、開口８３が開く。
【００６８】
図１０に示すように、導入弁１１０，１１１を導入弁取り付け部１１２，１１３に取り付けた状態で弁体部１１５が仕切壁８０を覆う領域を仕切壁８０に対向して配されている背面壁４４側に投影した領域Ｐ１，Ｐ２は、それぞれ背面壁４４に形成された内連通孔４８や外連通孔７０の開口領域の一部と重複する。しかし、内連通孔４８や外連通孔７０の開口領域の残部（領域Ｑ１，Ｑ２）は、領域Ｐ１，Ｐ２から外れた位置にある。また、図１０（ｂ），（ｃ）に示すように、水圧等の影響で弁体部１１５が撓んだ状態における弁体部１１５の占有領域を背面壁４４側に投影して形成される領域Ｒ１，Ｒ２は、領域Ｐ１，Ｐ２よりもさらに狭くなり、内連通孔４８や外連通孔７０の開口領域との重複面積がより一層小さくなる。そのため、内連通孔４８や外連通孔７０の開口領域のうち、領域Ｒ１，Ｒ２から外れた領域Ｓ１，Ｓ２は、上記した領域Ｑ１，Ｑ２よりもさらに大きくなる。
【００６９】
上記したように、内連通孔４８や外連通孔７０の開口領域は、仕切壁８０側に固定された導入弁１１０，１１１の可動領域を背面壁４４側に投影して形成される領域Ｐ１，Ｐ２あるいは領域Ｒ１，Ｒ２よりも大きく、領域Ｐ１，Ｐ２や領域Ｒ１，Ｒ２から外れた領域Ｑ１，Ｑ２や領域Ｓ１，Ｓ２が存在する。そのため、導入弁１１０，１１１が仕切部材２２の内側に向けて撓んだ場合、内連通孔４８や外連通孔７０は少なくとも領域Ｑ１，Ｑ２や領域Ｓ１，Ｓ２に相当する開口部分において湯水が流通できる。
【００７０】
導入弁１１０，１１１は、図２３（ａ）に示すように流路形成部４５の背面壁４４から突出した突起７１，７２によって弁体部１１５の中央部が仕切壁８０側に押しつけられた状態とされ、支持されている。これにより、水圧の作用により導入弁１１０，１１１に作用する負担を軽減し、軸部１１６が伸びるといった導入弁１１０，１１１の劣化の進行が防止されている。
【００７１】
導入弁１１０，１１１は、図２３（ｂ）に矢印で示すように、仕切壁８０の外側からの水流を受けると円盤状の弁体部１１５が水室Ｒあるいは水室Ｌの内側に向けてめくれ、湯水が水室Ｒ，Ｌの内側に浸入するのを許す。また逆に、水室Ｒ，Ｌ内の圧力が外部よりも高い場合には、図２３（ａ）のように弁体部１１５が放射状に配された６つの開口８３を閉塞し、水室Ｒ，Ｌ内の湯水が外部に漏出するのを防止する。
【００７２】
吐出弁１２５，１２６は、図１４のように、台座部１２７が仕切壁８０の裏面側を向き、開口形成面９０に形成された開口９１を外側から塞ぐように取り付けられている。吐出弁１２５，１２６は、先端部分が本体部４０の背面壁４５側、すなわち浴槽５の壁面側に向くように取り付けられている。吐出弁１２５，１２６は、それぞれ水室Ｒ，Ｌの吐出部１４０，１４１に配され、仕切壁８０の内側から水室Ｒ，Ｌの外側へ流れる水流を許し、逆を阻止する弁である。すなわち、吐出弁１２５，１２６は、図１４に矢印Ｇで示すように、水室Ｒや水室Ｌの内側から外側に向かう水流を受けて可動部１２８が台座部１２７に近づく方向に撓み、開口９１から湯水が出る。換言すれば、吐出弁１２５，１２６は、水室Ｒや水室Ｌの内側から外側に向かう水流を受けると可動部１２８が撓み、可動部１２８の先端部分が本体部４０の背面側、すなわち浴槽５の壁面側から仕切壁８１に近づく。そのため、吐出弁１２５，１２６が開くと浴槽５の壁面側の部位が優先的に開き、水室Ｒ，Ｌから吐出される湯水を浴槽５の壁面に沿う方向に案内する。また、吐出弁１２５，１２６を押し広げて吐出される水流は、本体部４０の背面壁４５側に形成された隙間を通過するため、吐出圧が高い。そのため、吐出弁１２５，１２６を通過して吐出される湯水は大部分が勢いよく浴槽５の壁面側に向けて吐出され、仕切壁８０の正面側に回らずに浴槽５の側面および底面に沿って流れる。従って、浴槽連結装置１によれば、いわゆるショートサイクルが起こりにくく、浴槽５内の湯水を十分に攪拌することができる。
【００７３】
一方、吐出弁１２５，１２６は、図１４に矢印Ｂで示すように、水室Ｒ，Ｌの外側から内側に向かう水流を受けたり、水室Ｒ，Ｌの内部が負圧になると、この水流や圧力の影響で可動部１２８が開口形成面９０に押しつけられ、開口９１が完全に閉塞される。
【００７４】
図３に示すように、仕切部材２２にはフィルター部材２３が装着されている。フィルター部材２３は、図１や図２４に示すように一方が有底で、他方が開放された椀状の外装部材１４５によって外形が形取られ、この内部にリング状の内装部材１４６が固定されたものである。外装部材１４５は、ステンレススチール等の錆に強い材質によって作製されたものである。外装部材１４５は、図１に示すように有底側、すなわち浴槽連結装置１を浴槽５に取り付けた際に正面側を向く部位の中央近傍にマスク部１４７を有し、その周囲に多数の孔１４８が設けられている。マスク部１４７は、仕切部材２２にフィルター部材２３を取り付けた際に導入部８１，８１に相当する位置に来るように配置されている。すなわち、導入部８１，８１は、仕切部材２２の内側に取り込むための開口８３が設けられており、仕切壁８０上の領域において仕切部材２２の内側に向かう湯水の流速が最も早いと想定される部位である。フィルター部材２３は、フィルター部材２３を仕切部材２２に取り付けた状態において導入部８１，８１に対向する位置にマスク部１４７を設けることにより、この部位にゴミ類や湯垢などが集中的に付着するのを防止している。
【００７５】
マスク部１４７の中央部は、仕切部材２２をフィルター部材２３に対して装着した際に仕切壁８０の突起８４に当接し、仕切壁８０を背面壁４４側に押圧する。
【００７６】
外装部材１４５は、側面１５０に２つの吐出開口１５１，１５２を有する。この吐出開口１５１，１５２は、上記した弁収容部４１の欠落部５１，５１や流路形成部４５の欠落部８７、すなわち流路構成体５０の吐出部１４０，１４１と同様に互いに周方向に１１０度程度離れた位置に形成されている。すなわち、吐出開口１５１，１５２は、吐出部１４０，１４１の位置にあわせて設けられている。また、側面１５０には、内装部材１４６の係止爪１５７が嵌る係止孔１５３が設けられている。
【００７７】
内装部材１４６は、樹脂製でリング状の部材であり、外装部材１４５の内側にほぼ隙間無く納まるものである。内装部材１４６は、外周面に吐出開口１５５，１５６と、外側に向かって突出した係止爪１５７が一つ設けられている。係止爪１５７は、内装部材１４６を外装部材１４５の内側に嵌め込んだ際に外装部材１４５の係止孔１５３に嵌るものであり、内装部材１４６が外装部材１４５の内側で回動するのを防止するためのものである。吐出開口１５５，１５６は、外装部材１４５の吐出開口１５１，１５２と略同一の開口面積を有するものであり、内装部材１４６を外装部材１４５の内側に嵌め込んだ際に吐出開口１５１，１５２と重なり、一連の吐出開口１５４，１５９を形成するものである。
【００７８】
内装部材１４６は、内周面に内側に向けて突出した突起１５８を有する。突起１５８は、内装部材１４６の周方向に３つ設けられており、それぞれ弁収容部４１のフィルター装着溝９２に差し込まれるものである。フィルター部材２３は、突起１５８を弁収容部４１に設けられた略「Ｌ」字形のフィルター装着溝９２に差し込んで回動させることにより仕切部材２２に取り付けられ、外装部材１４５のマスク部１４７が導入部８１，８１に対向した位置に来る。
【００７９】
フィルター部材２３が仕切部材２２に装着されると、図３のように外装部材１４５の内面と、これに対向する仕切壁８０との間に吸い込み室１６０が形成される。フィルター部材２３を仕切部材２２に装着すると、図３（ｂ）のように仕切部材２２の正面側の角の部位１６１と、フィルター部材２３の内面の角の部位１６２とが線接触し、密着する。これにより、フィルター部材２３に流入した湯水がフィルター部材２３と仕切部材２２の隙間から湯水が回り込むのが防止されている。
【００８０】
本実施形態の浴槽連結装置１は、図２５のように浴槽５の側面の外部に配された外嵌合部材２０に対して浴槽５の内側から浴槽５の壁面に設けられた取り付け口５ａを介して内嵌合部材２１をネジ込んで一体化することにより取り付け施工される。浴槽連結装置１は、浴槽５の壁面と外嵌合部材２０および内嵌合部材２１との間に隙間が存在すると漏水を起こしてしまう。そのため、浴槽連結装置１の施工時は、外嵌合部材２０に対して内嵌合部材２１をしっかりとネジ込む必要がある。
【００８１】
ここで、内嵌合部材２１は、フランジ部３５が浴槽５の内側に露出するため、浴槽５の内側からフランジ部３５をつかんで回転させることにより外嵌合部材２０に対してネジ込むことができる。しかし、フランジ部３５が浴槽５の壁面に近接し、フランジ部３５と浴槽５の壁面との隙間が僅かな状態になると、フランジ部３５をつかんで回転させることが困難となり、取り付け不良を起こす可能性がある。
【００８２】
そこで、本実施形態の浴槽連結装置１では、内嵌合部材２１に対して着脱可能な施工冶具１８０が別途用意されている。施工冶具１８０は、図１７に示すように断面形状が六角形の軸１８１の中途部分にフランジ１８２が設けられた樹脂製の部材である。施工冶具１８０は、フランジ１８２を境界として一端側が内嵌合部材２１の冶具係合部３９ｂに係合する係合部１８３として機能し、他端側が工具や指などでつかむための突出部１８５として機能する。
【００８３】
さらに具体的に説明すると、軸１８１は、内嵌合部材２１の貫通孔３７の内側に設けられた冶具係合部３９ｂにほぼ隙間無く差し込むことができる。施工冶具１８０の係合部１８３は、フランジ１８２から先端に至る長さが内嵌合部材２１に設けられた貫通孔３７のフランジ部３５側の端部から筒状部３６の内側に設けられた冶具係合部３９ｂに至る長さよりも僅かに長い程度とされている。また、フランジ１８２の外径は、内嵌合部材２１の貫通孔３７の開口径よりも大きい。そのため、施工冶具１８０をフランジ１８２が内嵌合部材２１のフランジ部３５に面接触するまで差し込むと、係合部１８３が冶具係合部３９ｂに嵌り込み、施工冶具１８０が内嵌合部材２１に対して相対回転不能な状態となる。またこの時、突出部１８５は、内嵌合部材２１のフランジ部３５から突出した状態となる。そのため、内嵌合部材２１は、施工冶具１８０を貫通孔３７に差し込み、突出部１８５を工具等で摘んで回転させることにより、内嵌合部材２１を筒状部３６の軸心回りに回転させることができる。
【００８４】
ここで、浴槽連結装置１は、浴槽５に対して外嵌合部材２０や内嵌合部材２１を水密状態となるように固定せねばならない。本実施形態では、外嵌合部材２０や内嵌合部材２１の取り付け状態を確認するための漏水検査冶具１９０を内嵌合部材２１に対して装着可能な構成とされている。さらに具体的には、本実施形態では、内嵌合部材２１に対して装着可能な漏水検査冶具１９０が別途用意されている。漏水検査冶具１９０は、図１８に示すように本体１９０ａと閉止部材１９０ｂとを有する。また、本体１９０ａは、フランジ部１９１を介して装着部１９２と摘み部１９３とに分類される。
【００８５】
装着部１９２は、内嵌合部材２１の貫通孔３７に差し込まれる筒状の部位である。装着部１９２の先端側の外周には、内嵌合部材２１の貫通孔３７内に形成された雌ネジ３９ｃと螺合可能な雄ネジ１９２ａが形成されている。また、装着部１９２のフランジ部１９１に隣接する位置には、Ｏリングからなるシール部材１９２ｂが装着されている。そのため、漏水検査冶具１９０は、強く締め付けなくても水密状態あるいは気密状態となるように内嵌合部材２１に対して装着することができる。
【００８６】
摘み部１９３は、指等で摘むことが可能な角柱状の突起である。漏水検査冶具１９０は、摘み部１９３の端部から装着部１９２に連通する連通孔１９６を有する。連通孔１９６は、漏水検査の際に加圧装置に接続される配管を装着するための孔である。閉止部材１９０ｂは、連通孔１９６にネジ込んで固定することにより連通孔１９６を閉止できる部材である。
【００８７】
続いて、浴槽連結装置１の施工方法および組み立て構造について説明する。浴槽連結装置１は、浴槽５の外側に配された外嵌合部材２０と、浴槽５の内側に配された内嵌合部材２１とを締結することにより浴槽５の壁面を挟み込んだ状態で固定されている。さらに具体的には、外嵌合部材２０および内嵌合部材２１は、図２５に示すように、浴槽５の外側であって、浴槽５の壁面に設けられた取り付け口５ａに相当する位置にフランジ２８を突き合わせると共に、浴槽５の内側から取り付け口５ａに内嵌合部材２１の筒状部３６を本体部２７にネジ込むことにより浴槽５に固定される。これにより、外嵌合部材２０と内嵌合部材２１とが接続され、内嵌合部材２１の貫通孔３７内に外嵌合部材２０の略中心に接続管３１が突出した状態となる。
【００８８】
ここで、外嵌合部材２０と内嵌合部材２１との接続の際には施工冶具１８０が使用される。さらに具体的には、内嵌合部材２１を接続する際には、フランジ部３５の中央に開口している貫通孔３７に対して係合部１８３側から施工冶具１８０を差し込む。施工冶具１８０のフランジ１８２が内嵌合部材２１のフランジ部３５に面接触するまで差し込み、係合部１８３と内嵌合部材２１の冶具係合部３９ｂとを係合させた後、施工冶具１８０の突出部１８５を工具等でつかんで回転させると、施工冶具１８０と内嵌合部材２１とが一体となって回転し、内嵌合部材２１が外嵌合部材２０に対して螺合されていく。内嵌合部材２１のフランジ部３５がパッキン２５を介して浴槽５の壁面にしっかりと取り付けられると、施工冶具１８０が抜き去られる。
【００８９】
仕切部材２２は、上記したようにして浴槽５に固定された内嵌合部材２１に対して固定される。さらに具体的には、仕切部材２２のうち流路形成部４５は、管状部４３を内嵌合部材２１の貫通孔３７内に差し込み、３つのネジ用下穴３８と貫通穴５２にネジ５３を装着することにより内嵌合部材２１に対して固定される。この際、流路形成部４５の管状部４３は、内嵌合部材２１の貫通孔３７内に突出している外嵌合部材２０の接続管３１内に差し込まれる。これにより、図３等に示すように管状部４３と接続管３１とが接続され、中央空間１６５が形成される。また、流路形成部４５が内嵌合部材２１にネジ止めされると、接続管３１の外周、流路形成部４５の背面壁４４および内嵌合部材２１の貫通孔３７の内周壁とによって囲まれた外周空間１６６が形成される。
【００９０】
内嵌合部材２１に対して仕切部材２２の本体部４０がネジ止めされると、流路形成壁５６，８６の位置および欠落部５１，８７の位置合わせをした状態で本体部４０の正面側から弁収容部４１が装着される。弁収容部４１は、本体部４０側に固定されている磁石６７，６８と弁収容部４１内に固定されている磁石１０６，１０７との間に発生する吸着力により一体化される。本体部４０と弁収容部４１とが一体化されると、図１５のように本体部４０の側壁面８８，８８が本体部４０側の吐出口形成部５９，６４の間に嵌り込んで面接触し、回転阻止構造が形成される。さらに、本体部４０と弁収容部４１とが一体化されると、本体部４０の背面壁４４から突出した流路形成壁５６の先端が、弁収容部４１側の流路形成壁８６の上端部に設けられた係合溝１００に嵌り込み、回転阻止構造が形成される。弁収容部４１は、これらの回転阻止構造によって本体部４０に対して相対回転不能となる。
【００９１】
上記したようにして外嵌合部材２０、内嵌合部材２１および仕切部材２２が一体化されると、仕切部材２２に対してフィルター部材２３が装着される。フィルター部材２３は、内装部材１４６に設けられた３つの突起１５８をそれぞれ弁収容部４１の周壁部８５に設けられたフィルター装着溝９２の差込溝９３に沿って奥（本体部４０側）まで差し込んだ後、周溝９５に沿って時計回り方向に回転させることにより仕切部材２２に装着される。これにより、フィルター部材２３と仕切部材２２の仕切壁８０との間に吸い込み室１６０が形成されると共に、仕切壁８０の導入部８１，８１に対向する位置がマスク部１４７によってマスクされる。
【００９２】
フィルター部材２３が装着されると、吐出開口１５１，１５５と仕切部材２２の吐出部１４０とが連通した吐出口１２が形成され、吐出開口１５２，１５６と仕切部材２２の吐出部１４１とが連通した吐出口１３が形成される。吐出口１２，１３は、水室Ｒ，Ｌから繋がる一連の流路Ａ，Ｂの末端部分を構成する。
【００９３】
上記したようにして浴槽連結装置１が組み立てられると、内部に図３や図２７に示すような流路Ａ，Ｂが形成される。流路Ａは、図２７（ａ）にハッチングで示すように、中央空間１６５と水室Ｒとが繋がって形成される流路であり、接続配管１５と吸い込み口７および吐出口１２とを繋ぐ流路である。流路Ａの中途には、導入弁１１０と吐出弁１２５とが設けられている。一方、流路Ｂは、図２７（ｂ）にハッチングで示すように、外周空間１６６と水室Ｌとが繋がって形成される流路であり、接続配管１６と吸い込み口７および吐出口１３とを繋ぐ流路である。流路Ｂの中途には、導入弁１１１と吐出弁１２６とが設けられている。流路Ａ，Ｂは、互いに独立しており、流路Ａ，Ｂ間において湯水は往来しない。
【００９４】
上記したようにして浴槽５の壁面を挟んで外嵌合部材２０および内嵌合部材２１を一体化した場合、内嵌合部材２１の締め付けが不十分であったり、内嵌合部材２１が片締めであると、外嵌合部材２０や内嵌合部材２１と浴槽５の壁面との間に隙間が生じ、漏水を起こす可能性がある。そこで、本実施形態の浴槽連結装置１は、外嵌合部材２０と内嵌合部材２１とを一体化した後に内嵌合部材２１に装着されている施工冶具１８０を取り外して漏水検査冶具１９０と交換し、漏水の有無を２種類の方法で検査することができる。
【００９５】
さらに具体的に説明すると、浴槽連結装置１は漏水検査冶具１９０を内嵌合部材２１に装着し、連通孔１９６に閉止部材１９０ｂを装着して検査する第一の検査方法と、連通孔１９６に加圧手段を接続して検査する第二の検査方法のいずれかを選択して漏水検査を行うことができる。
【００９６】
第一の検査方法で検査する場合は、図２８（ａ）に示すように連通孔１９６に閉止部材１９０ｂを装着した漏水検査冶具１９０が内嵌合部材２１に取り付けられ、内嵌合部材２１の貫通孔３７が塞がれる。一方、外嵌合部材２０の接続配管１５，１６のいずれか一方には加圧手段１９８が接続され、他方には弁１９９が接続される。第一の検査方法は、弁１９９を閉止した状態において加圧手段１９８によって浴槽連結装置１に対して圧力をかけることによって行われる。
【００９７】
第二の検査方法で検査を行う場合は、図２８（ｂ）に示すように漏水検査冶具１９０の連通孔１９６に対して加圧手段１９８を接続し、外嵌合部材２０の接続配管１５，１６の双方に弁１９９ａ，１９９ｂを接続した状態とされる。第二の検査方法は、弁１９９ａ，１９９ｂを閉止した状態で加圧手段１９８によって浴槽連結装置１に対して圧力をかけることによって行われる。
【００９８】
続いて、浴槽連結装置１の作用について説明する。浴槽連結装置１は、接続配管１５，１６のいずれに熱源装置４００の往き配管４０１および戻り配管４０２を接続しても、浴槽５内の湯水が吸い込み口７から熱源装置４００側に吸い込まれ、吐出口１２，１３のいずれか一方または双方から湯水を吐出することができる。すなわち、浴槽連結装置１は、一般的に無極性アダプタと称されるものである。また、浴槽連結装置１は、浴槽５および熱源装置４００の間に湯水を循環させる場合は、吸い込み口７から浴槽５内の湯水を吸い込んで熱源装置４００側に供給し、熱源装置４００側から供給される湯水を吐出口１２，１３のいずれか一方から吐出するものである。また、浴槽連結装置１は、必要に応じて一般的に両搬送方式と称される方式で湯水を浴槽５に落とし込むことができるものである。すなわち、両搬送方式により湯水を浴槽５に落とし込む場合、浴槽連結装置１は、熱源装置４００側から供給される湯水を流路Ａ，Ｂおよびこれらに繋がる吐出口１２，１３の双方から湯水を落とし込むことができる。以下、接続配管１５，１６と往き配管４０１および戻り配管４０２との接続状態と、浴槽連結装置１における湯水の流れとの関係について図面を参照しながら詳細に説明する。
【００９９】
まず、接続配管１５に往き配管４０１を接続し、接続配管１６に戻り配管４０２を接続した場合について図２９を参照しながら説明する。図２９において、矢印Ｇ１は往き配管４０１から送り込まれる湯水の流れを示すものであり、矢印Ｂ１は浴槽５から吸い込まれる湯水の流れを示す矢印である。
【０１００】
図２９に示すように往き配管４０１および戻り配管４０２を接続すると、湯水は、流路Ａを流れ、吐出口１２から浴槽５の下方に向けて吐出される。一方、浴槽５内の湯水は、浴槽連結装置１の正面側に設けられた吸い込み口７から吸い込み室１６０に吸い込まれ、流路Ｂを通って戻り配管４０２に吸い込まれる。
【０１０１】
さらに具体的に説明すると、接続配管１５を介して供給される湯は、外嵌合部材２０の接続管３１に挿入された仕切部材２２の管状部４３内に流れ込む。管状部４３の内部に流入した湯水は、流路形成部４５の中央に設けられた三日月状の内連通孔４８を介して流路構成体５０の水室Ｒ内に流入する。ここで、接続配管１５に対して往き配管４０１が接続されている場合、水室Ｒの内圧は、仕切部材２２の仕切壁８０とフィルター部材２３との間に形成される吸い込み室１６０の内圧よりも高い。そのため、水室Ｒ側の導入弁取り付け部１１２に取り付けられた導入弁１１０の弁体部１１５は、図２３（ａ）の様に仕切壁８０側に押しつけられ、開口８３を閉塞する。図２９に矢印Ｇ１で示すように、管状部４３を介して水室Ｒに流入した湯水は、図１４（ｂ）や図２９のように吐出部１４０に取り付けられた吐出弁１２５の可動部１２８を台座部１２７に近づく方向に押し広げ、吐出口１２から浴槽５内に落とし込まれる。
【０１０２】
一方、上記したように、接続配管１６は戻り配管４０２に接続されている。そのため、流路Ｂの内圧は、流路Ａの内圧よりも低下する。その結果、流路Ｂの吐出口１３に配された吐出弁１２６は、図１４（ａ）や図２９のように開口形成面９０側に吸い寄せられ、吐出口１３からの湯水の浸入を阻止する。また、水室Ｌ側の導入弁取り付け部１１３に取り付けられた導入弁１１１は、図２９や図２３（ｂ）のように仕切部材２２の仕切壁８０から離れ、開口８３が開く。これにより、図２９に矢印Ｂ１で示すように、水室Ｌ側に浴槽５内の湯水が吸い込まれる。水室Ｌに流入した湯水は、管状部４３の外側に形成された外周空間１６６を流れ、外嵌合部材２０に接続された接続配管１６を介して戻り配管４０２に吸い込まれる。
【０１０３】
続いて、接続配管１６に往き配管４０１を接続し、接続配管１５に戻り配管４０２を接続した場合について図３０を参照しながら説明する。図３０において、矢印Ｇ２は往き配管４０１から送り込まれる湯水の流れを示すものであり、矢印Ｂ２は浴槽５から吸い込まれる湯水の流れを示す矢印である。
【０１０４】
図３０のように往き配管４０１および戻り配管４０２を接続すると、往き配管４０１から導入された湯水は流路Ｂを流れて吐出口１３から浴槽５の下方に向けて吐出されると共に、浴槽５内の湯水はフィルター部材２３に多数形成された孔１４８によって構成される吸い込み口７から吸い込まれ、流路Ａを流れて戻り配管４０２に吸い込まれていく。
【０１０５】
さらに詳細に説明すると、往き配管４０１から導入された湯水は、接続配管１６を流れ、外嵌合部材２０と内嵌合部材２１との間に形成された外周空間１６６に流れ込む。外周空間１６６に流れ込んだ湯水は、仕切部材２２の流路形成部４５に設けられた外連通孔７０を介して流路形成領域６０，１０５によって形成される水室Ｌに流入する。
【０１０６】
接続配管１６を介して水室Ｌに湯水が流れ込む場合、水室Ｌの内圧は吸い込み室１６０の内圧よりも高くなる。そのため、水室Ｌ側に取り付けられた導入弁１１１は、図３０に示すように弁体部１１５が仕切壁８０側に押しつけられ、開口８３を閉塞して吸い込み室１６０内に存在する湯水の浸入を阻止する。一方、水室Ｌ側の吐出部１４１に取り付けられた吐出弁１２６は、水室Ｌ側に流入した湯水によって吐出部１４１に取り付けられた吐出弁１２６の可動部１２８が仕切壁８０側、すなわち台座部１２７に近づく方向に押し曲げられ、開口形成面９０の開口９１を開く。これにより、吐出口１３が開いた状態となり、水室Ｌ内の湯水が浴槽５内に落とし込まれる。
【０１０７】
一方、流路Ａは、接続配管１５を介して戻り配管４０２に接続されているため、流路Ｂよりも内圧が低下する。その結果、流路Ｂの吐出口１２に配された吐出弁１２５は、開口形成面９０側に吸い寄せられ、水室Ｒ内への浴槽５内の湯水の浸入を阻止する。さらに、水室Ｌ側に取り付けられた導入弁１１０は、図３０のように弁体部１１５が水室Ｒの内側に向けて撓み、仕切部材２２の仕切壁８０から離れる。これにより、仕切壁８０の左側（図１１では左側、図３０では下側）に設けられた導入部８１の開口８３が開き、吸い込み室１６０と水室Ｒとが連通する。そのため、浴槽５内の湯水は、図３０に矢印Ｂ２で示すように水室Ｒ側に吸い込まれ、管状部４３の内側に形成された中央空間１６５および接続配管１５を介して戻り配管４０２に吸い込まれる。
【０１０８】
浴槽連結装置１は、接続配管１５，１６と往き配管４０１および戻り配管４０２との接続状態によらず必要に応じて一般的に両搬送方式と称される方式で湯水を浴槽５に落とし込むことができる。両搬送方式による落とし込み動作を行う場合の湯水の流れについて、図３１のように接続配管１５に往き配管４０１を接続し、接続配管１６に戻り配管４０２を接続した場合を例に挙げて説明する。
【０１０９】
さらに具体的に説明すると、両搬送方式での湯水の落とし込みがなされる場合は、図３１に矢印Ｇ３，Ｇ４で示されるように往き配管４０１および戻り配管４０２の双方から浴槽連結装置１側に向けて湯水が送り込まれてくる。これにより、往き配管４０１および戻り配管４０２から導入された湯水は接続配管１５，１６を流れ、それぞれ中央空間１６５および外周空間１６６に流れ込む。
【０１１０】
中央空間１６５に流れ込んだ湯水は、流路形成部４５に設けられた内連通孔４８を介して水室Ｒ内に流入する。また、外周空間１６６内に流入した湯水は、外連通孔７０を介して水室Ｌ内に流入する。ここで、両搬送方式で湯水を落とし込む場合は、接続配管１５，１６の双方から浴槽連結装置１側に向けて湯水が圧送されている。そのため、水室Ｒ，Ｌの内圧は、いずれも吸い込み室１６０の内圧よりも高い。従って、水室Ｒ，Ｌの導入弁１１０，１１１は、図３１に示すように弁体部１１５が仕切壁８０側に押しつけられた状態となり、開口８３からの湯水の浸入が防止される。水室Ｒ，Ｌ内に流入した湯水は、それぞれ吐出部１４０，１４１に取り付けられた吐出弁１２５，１２６を押し広げる。これにより、水室Ｒ，Ｌが浴槽５側に開放した状態となり、水室Ｒ，Ｌ内に存在する湯水が吐出口１２，１３の双方から浴槽５内に落とし込まれる。
【０１１１】
上記したように、浴槽連結装置１は、水室Ｒ，Ｌを構成する流路形成領域６０，６１、流路形成領域１０３，１０５がそれぞれ流路形成壁５６，８６の縦断部６２，９６に対して対称な構成とされている。そのため、浴槽連結装置１は、往き配管４０１および戻り配管４０２が接続配管１５，１６のいずれと接続された場合であっても、吐出口１２あるいは吐出口１３から吐出される湯水の吐出圧はほぼ一定である。
【０１１２】
上記したように、本実施形態の浴槽連結装置１は、仕切部材２２の本体部４０と弁収容部４１とが磁石６７，１０６間および磁石６８，１０７間に発生する吸引力によって一体化されたものであり、特別な冶具やドライバー等の工具等を用いなくても取り外し、導入弁１１０，１１１や吐出弁１２５，１２６、流路形成領域６０，６１，１０３，１０５を露出させることができる。そのため、浴槽連結装置１は、必要に応じて弁収容部４１を取り外し、導入弁１１０，１１１や吐出弁１２５，１２６、流路形成領域６０，６１，１０３，１０５のような湯垢やゴミ等が溜まりやすい部位を洗浄することができる。
【０１１３】
また、浴槽連結装置１は、本体部４０に対して弁収容部４１を装着すると、図１５に示すように弁収容部４１側の欠落部８７，８７に形成された側壁面８８，８８が本体部４０側の欠落部５１，５１に設けられた吐出口形成部５９，６４の間に嵌り込み、回転阻止構造を形成し、弁収容部４１が本体部４０に対して回転不能に支持された状態となる。さらに、弁収容部４１と本体部４０とを組み合わせると、本体部４０側の流路形成壁５６（凸部）の先端部分が弁収容部４１側の流路形成壁８６の上端部に形成された凹状の係合溝１００（凹部）に嵌り込み回転阻止構造が形成される。従って、浴槽連結装置１は、フィルター部材２３の着脱時にフィルター部材２３を回転させても弁収容部４１が本体部４０に対して位置ズレを起こさない。
【０１１４】
浴槽連結装置１は、水室Ｌ，Ｒを構成する流路形成領域６０，６１と流路形成領域１０３，１０５とが仮想平面Ｕ１，Ｕ２を介して対称な構造とされている。そのため、水室Ｌ，Ｒに対して湯水が流出入することによって作用する水圧は略均等であり、バランスが取れている。
【０１１５】
さらに具体的には、例えば浴槽連結装置１が、接続配管１５に熱源装置４００の往き配管４０１が接続され、接続配管１６に戻り配管４０２が接続されたものである場合、背面壁４４側に設けられた内連通孔４８から流路形成領域６１，１０５によって構成される水室Ｒに湯水が流入する。これにより、背面壁４４に対向する仕切壁８０には背面壁４４から遠ざける方向（仕切部材２２の外方向）に向かう圧力が作用する。一方、流路形成領域６０，１０３によって構成される水室Ｌ内が負圧になり、仕切壁４４に設けられた弁取り付け部１１３側の開口８３から背面壁８０に設けられた外連通孔７０に向かう水流が発生する。これにより仕切壁８０に対して背面壁４４に近づく方向（仕切部材２２の内方向）への圧力が作用する。ここで、上記したように浴槽連結装置１は、水室Ｒ，Ｌが対称に配されているため、仕切部材２０３に対して湯水が出入りすることにより圧力が作用する面積（受圧面積）が水室Ｌ，Ｒの双方で同一である。さらに、内連通孔４８および外連通孔７０が、円形領域Ｆ１内に存在し、背面壁４４の中心Ｃ１を中心に偏在している。そのため、上記した仕切部材２２の外方向に向かう圧力と内方向に向かう圧力とが相殺され、浴槽５側に固定された本体部４０と弁収容部４１との間隔が開かない。従って、浴槽連結装置１は、本体部４０と弁収容部４１との間にパッキン等のシール部材を設けなくても水室Ｒ，Ｌを互いに水密な状態に維持でき、水室Ｒ，Ｌ間における湯水のショートサイクルが起こらない。
【０１１６】
浴槽連結装置１は、本体部４０と弁収容部４１との間にパッキン等のようなシール部材を介在させる必要がないため、その分だけ装置構成が簡略であり、製造コストが安い。さらに、上記した構成によれば、シール部材を取り付ける必要がないため、シール部材の取り付け忘れや取り付け不良に伴う仕切部材２２の組み立て不良が起こらない。
【０１１７】
また、浴槽連結装置１は、流路形成壁５６（凸部）と流路形成壁８６の上端の係合溝１００（凹部）とが嵌合構造を形成しているため、万一水圧等の影響で何らかの拍子に本体部４０と弁収容部４１との間隔がごく僅かに開いても、この間隔が流路形成壁５６の先端が係合溝１００から抜けない程度であれば流路形成壁５６，８６によって区切られた水室Ｒ，Ｌを互いに水密な状態に維持できる。
【０１１８】
また、本実施形態の浴槽連結装置１では、万一水圧等の影響で一時的に本体部４０と弁収容部４１との間隔が開いたとしても、水圧等の影響が無くなると磁石６７，１０６間および磁石６８，１０７間に発生する吸引力によって弁収容部４１が本体部４０側に吸い寄せられ、再び水密に接続された状態となる。
【０１１９】
浴槽連結装置１において、弁収容部４１は、導入弁１１０，１１１や吐出弁１２５，１２６が取り付けられたものであるため、本体部４０側よりも湯垢やゴミ等が付着し、洗浄せねばならない可能性が高い。本実施形態の浴槽連結装置１では、浴槽５側に固定される本体部４０側ではなく、取り外し可能な弁収容部４１側に導入弁１１０，１１１や吐出弁１２５，１２６を取り付けたものである。そのため、浴槽連結装置１は、浴槽５内で身をかがめたり無理な姿勢を取ることなく導入弁１１０，１１１や吐出弁１２５，１２６の取り付け部分を洗浄することができる。
【０１２０】
本実施形態の浴槽連結装置１は、導入弁１１０，１１１および吐出弁１２５，１２６を全て弁収容部４１側に装着したものであったが、本発明はこれに限定されるものではなく、導入弁１１０，１１１や吐出弁１２５，１２６の一部あるいは全部を本体部４０側に装着した構成としてもよい。
【０１２１】
また、本実施形態の浴槽連結装置１は、シャーレ状に形成された本体部４０の流路形成部４５と、シャーレ状の弁収容部４１とを組み合わせて仕切部材２２の流路構成体５０が形成されるものであったが、本発明はこれに限定されるものではなく、例えば図１６に示すように本体部４０あるいは弁収容部４１のいずれか一方を桶状の部材とし、この桶状の部材の開口部分を他方によって閉塞する構成としてもよい。なお、かかる構成とする場合についても、洗浄作業の容易さの観点からすれば、導入弁１１０，１１１や吐出弁１２５，１２６が取り付けられる側の部材を浴槽５側に固定される他方の部材から取り外せる構成とすることが望ましい。
【０１２２】
本実施形態の浴槽連結装置１は、磁石６７，６８，１０６，１０７の表面がいずれも平坦な形状を有するものであったが、本発明はこれに限定されるものではなく、例えば図１９（ａ），（ｃ）に示すように磁石６７や磁石１０６に凸部１７０，１７１を設け、図１９（ｂ），（ｄ）に示すように磁石６８や磁石１０７に凹部１７２，１７３を設けた構成としてもよい。かかる構成とした場合は、図１９（ｅ）に示すように凸部１７０，１７１が凹部１７２，１７３に嵌り込む。従って、磁石６７，６８，１０６，１０７を凹凸形状とすることにより、フィルター部材２３の着脱時における本体部４０に対する弁収容部４１の位置ズレをより一層確実に防止できる。また、図１９に示すように磁石６７，６８，１０６，１０７を凹凸形状とすれば、上記実施形態のように側壁面８８，８８と吐出口形成部５９，６４とによって構成されるような回り止め構造を別途設けなくてもよく、装置構成をより一層簡略化することができる。
【０１２３】
また、浴槽連結装置１は、弁収容部４１を本体部４０に取り付けると、本体部４０側の磁石６７，６８と弁収容部４１側の磁石１０６，１０７とが対向する構成であったが、本発明はこれに限定されるものではなく、例えば図２０（ａ）に示すように磁石６７，６８の取り付け位置を磁石１０６，１０７の取り付け位置から上下方向にずらしたり、図２０（ｂ）に示すように左右方向にずらしたり、図２１（ａ），（ｂ）のように仕切部材２２の周方向にずらしてもよい。かかる構成とした場合、図２０（ｃ）のように磁石６７，６８の側面と磁石１０６，１０７の側面とが面接触するため、磁石６７，６８，１０６，１０７の接触面積を大きくとることができ、弁収容部４１を本体部４０に対してしっかりと固定することができる。また、前記したような構成とすれば、磁石６７，６８および磁石１０６，１０７の設置スペースを小さくしつつ、十分な固定強度を得ることができる。
【０１２４】
さらに、図２１のように磁石６７，６８の取り付け位置を磁石１０６，１０７の取り付け位置に対して仕切部材２２の周方向にずらして配した場合は、フィルター部材２３の着脱時にフィルター部材２３が回転するのに伴って弁収容部４１が回転するのを阻止することができる。また特に、図２１（ｂ）のように、本体部４０側に固定された磁石６７，６８と、弁収容部４１側に固定された磁石１０６，１０７とがいわゆる「はすかい」の位置関係となる、すなわち磁石６７，６８の設置位置を結ぶ線分Ｙ１と磁石１０６，１０７を結ぶ線分Ｙ２とが交差し、磁石６７，６８の側面と磁石１０６，１０７の側面とが面接触する構成とした場合は、フィルター部材２３の回転方向によらずフィルター部材２３の脱着に伴う弁収容部４１の位置ズレを防止することができる。
【０１２５】
また、上記した浴槽連結装置１は、磁石６７，６８を露出側の面の磁極が逆となるように本体部４０側に固定し、磁石１０６，１０７を露出側の面の磁極がそれぞれ磁石６７，６８に吸着可能となるように弁収容部４１側に固定した構造としてもよい。さらに具体的には、例えば磁石６７，６８をそれぞれＮ極、Ｓ極が露出するように固定し、磁石１０６，１０７をそれぞれＳ極、Ｎ極が露出するように固定してもよい。かかる構成とすれば、例えば仕切部材２２の組み立て時に本体部４０に対して弁収容部４１を上下逆に近づけると磁石６７，１０７間および磁石６８，１０６間に反発力が発生し、仕切部材２２が誤った状態で組み立てられるのを防止できると共に、弁収容部４１の向きが誤っていることを直感的に勘づかせることができる。
【０１２６】
上記したように浴槽連結装置１は、磁石６７，６８および磁石１０６，１０７の間に発生する吸着力を利用して本体部４０と弁収容部４１とを組み立てるものであるため、組み立て時に作業者に節度感を与え、仕切部材２２がしっかりと組み立てられたことを認識させることができる。
【０１２７】
上記したように、本実施形態の浴槽連結装置１は、フィルター部材２３を構成する外嵌合部材２０および内嵌合部材２１が磁力に対する吸着力をほとんど示さない材質で作製されている。そのため、フィルター部材２３に対して弁収容部４１に固定されている磁石１０６，１０７がフィルター部材２３に対して吸着せず、フィルター部材２３を回転させても弁収容部４１は共回りしない。
【０１２８】
上記実施形態の浴槽連結装置１は、本体部４０側に磁石６７，６８を設けると共に、弁収容部４１側に磁石１０６，１０７を設け、磁石６７，１０６の組み合わせおよび磁石６８，１０７の組み合わせによって発生する吸着力を利用して本体部４０に対して弁収容部４１を固定するものであった。しかし、本発明はこれに限定されるものではなく、磁石６７，１０６の組み合わせおよび磁石６８，１０７の組み合わせを構成する磁石のうちいずれか一方の磁石を鉄等の磁石に対して吸着力を示すものとしてもよい。かかる構成によれば、磁石の使用量を最低限に抑制することができ、浴槽連結装置１の製造コストをより一層低減することができる。また、弁収容部４１側の磁石１０６，１０７を金属板等の磁力を持たないが磁力に対して吸着力を示すものに代えた構成とすると、フィルター部材２３の取り外し等に際して弁収容部４１がフィルター部材２３に吸着したり、フィルター部材２３と共回りする等の不具合をより一層確実に防止できる。
【０１２９】
浴槽連結装置１は、磁石６７，６８，１０６，１０７がいずれもそのままの状態で露出した形態で背面壁４４や仕切壁８０に固定されたものであったが、本発明はこれに限定されるものではなく、例えば図２２（ａ），（ｂ）に示すように、樹脂等のように透磁性を有する素材により、磁石６７，１０６や磁石６８，１０７が嵌り込む凹部１７７，１７８を有するカバー部材１７５，１７６を作製し、このカバー部材１７５，１７６を磁石６７，６８，１０６，１０７に被せた構成としてもよい。かかる構成によれば、水道水等に含まれている鉄粉等が磁石６７，６８，１０６，１０７の磁力により引き寄せられても、鉄粉等は磁石６７，６８，１０６，１０７には直接付着せず、カバー部材１７５，１７６の表面に付着したとしてもカバー部材１７５，１７６を取り外せば容易に除去することができる。
【０１３０】
浴槽連結装置１は、水室Ｒ，Ｌを構成する流路形成壁５６，８６に屈曲部分が少ない。そのため、浴槽連結装置１は、本体部４０から弁収容部４１を取り外すことにより容易に水室Ｒ，Ｌ内を清掃することができる。
【０１３１】
また、浴槽連結装置１は、水室Ｒ，Ｌ内に屈曲部分が殆ど存在しないため、往き配管４０１を介して水室Ｒあるいは水室Ｌに流入した湯水は、吐出圧を殆ど緩めることなく吐出口１２あるいは吐出口１３から吐出される。また、吸い込み口７および導入部８１を介して水室Ｒあるいは水室Ｌに流入した浴槽５内の湯水についても、水室Ｒ，Ｌ内を勢いよく流れ、戻り配管４０２に吸い込まれていく。そのため、浴槽連結装置１の水室Ｒ，Ｌ内には湯垢やゴミ類等が殆ど残存しにくく、仕切部材２２の分解清掃の頻度が少なくて済む。
【０１３２】
上記した浴槽連結装置１は、吐出口１２，１３が周方向に離れた位置に設けられた構成を有するが、本発明はこれに限定されるものではなく、例えば水室Ｒ，Ｌの独立性を維持しつつ、吐出部１４０，１４１を一体化して一つの空間としたり、フィルター部材２３の吐出開口１５４，１５９を一体化した構成としてもよい。かかる構成とした場合であっても、水室Ｒ，Ｌおよび流路Ａ，Ｂの独立性は実質的に維持されると共に、吐出口１２，１３が外見上一つとなり、湯水を浴槽５の下方に向けて吐出することができる。
【０１３３】
上記実施形態および実施例において、仕切部材２２に装着されるフィルター部材２３は、椀状の外装部材１４５に対して湯水を吸い込むための孔１４８を多数設けると共に、マスク部１４７を設けた構成であったが、本発明はこれに限定されるものではなく、例えば従来公知の浴槽連結装置に採用されているフィルター部材のように外装部材に対していくつかの開口を設けると共に網状のフィルターを装着したもの等を採用してもよい。
【０１３４】
（第２実施形態）
上記した浴槽連結装置１は、本体部４０に対して弁収容部４１を被せて一体化した状態で使用される仕切部材２２を採用したものであったが、本発明はこれに限定されるものではなく、例えば図３４に示す浴槽連結装置２００のように、仕切部材２２に代えて浴槽５に対して固定される本体部２０１（固定体）の正面側から弁収容部２０２（分離体）を嵌め込んで一体化する構造の仕切部材２０３を採用したものであってもよい。以下、浴槽連結装置２００およびこれに採用される仕切部材２０３の構造について図面を参照しながら詳細に説明する。なお、以下の説明において上記実施例の浴槽連結装置１と共通する部分には同一の符号を付し、詳細の説明については省略する。また、以下の説明において上下左右や表裏の位置関係は、特に断りのない限り本実施形態の浴槽連結装置２００を浴槽連結装置１と同様の姿勢で浴槽５に取り付け、浴槽５の内側から観察した際の姿勢を基準とする。なお、図３８（ｂ）や図３９（ｂ）については、それぞれ裏面側から観察した図面であるため、他の図面に対して左右の位置関係が逆転している。
【０１３５】
浴槽連結装置２００は、上記実施形態の浴槽連結装置１と同様に外嵌合部材２０、内嵌合部材２１と、仕切部材２０３およびフィルター部材２０５によって構成されている。浴槽連結装置２００において採用されている仕切部材２０３は、上記実施形態において採用されていた仕切部材２２と同様に、浴槽５側に固定される本体部２０１と弁収容部２０２とに大別される。また、仕切部材２０３は、筒状の管状部２１０と円盤状の流路構成部２０７とに大別することもできる。
【０１３６】
本体部２０１は、樹脂成型によって作製されたものであり、図３５〜図３７に示すように管状部２１０と流路形成部２１１とが一体的に成形されたものである。管状部２１０は、流路形成部２１１の背面壁２１２（第二の仕切壁）の中央部から裏面側に突出した筒体である。管状部２１０は、外径が外嵌合部材２０の内側に立設された接続管３１の内径と略同一である。管状部２１０の先端側に設けられた段部２１３にはＯリング２１５が嵌め込まれている。管状部２１０は、流路形成部２１１の背面壁２１２の略中央部に設けられた内連通孔２３３に連通している。
【０１３７】
流路形成部２１１は、背面壁２１２の表面側に突出した周壁部２１７によって囲まれた領域を流路形成壁２１８によって４つの領域に分割した構成とされている。背面壁２１２は、略扇形の形状を有するものであり、平面視が円弧状の部位と直線状の部位とを有する。換言すれば、周壁部２１７は、欠落部２２０，２２０において不連続となっており、内側に向けて略「コ」字形に折れ曲がっている。そして、背面壁２１２は、平面視が円板状の板体のうち、欠落部２２０，２２０に相当する位置を略「コ」字形に切り欠いた形状とされている。
【０１３８】
欠落部２２０は、上記した欠落部５１と同様に流路形成部２１１の背面壁２１１のうち仕切部材２０３の内側に向く面上に広がる仮想平面を想定した場合に、この仮想平面と弁収容部２０２に取り付けられた吐出弁１２５，１２６の可動部１２８が動作することにより形成される軌跡との交差部分が欠落した部位であり、可動部１２８の動作を阻害しないように設けられた部位である。
【０１３９】
欠落部２２０，２２０は、図３６のように共に背面壁２１２の中心を通る線分Ｙ１よりも下方に偏在している。平面視で欠落部２２０，２２０の中心と背面壁２１２の中心を通る線分Ｙ２，Ｙ３のなす角度θ３は、１８０度よりも小さい。さらに具体的には、本実施形態においてθ３は、約１１０度とされている。
【０１４０】
周壁部２１７は、背面壁２１２に対して略垂直に立設された壁面であり、平面視が背面壁２１２の外形に沿う形状に屈曲している。すなわち、周壁部２１７は、背面壁２１２に沿って円弧状に湾曲した円弧部２１７ａと、欠落部２２０に沿って流路形成部２１１の中央側に向けて略「コ」字型に屈曲した吐出口形成部２１７ｂとを有する。
【０１４１】
周壁部２１７の外周面には、フィルター装着溝２１９が３つ設けられている。フィルター装着溝２１９は、仕切部材２０３に対してフィルター部材２０５を装着する際に使用されるものであり、上記実施形態の浴槽連結装置１のフィルター装着溝９２と略同一の形状とされている。さらに具体的には、フィルター装着溝２１９は、図３６（ｂ）に示すように本体部２０１の開口端側から背面壁２１２側に向かって延伸する差込溝２１９ａと、本体部２０１の周方向に向かって延伸する周溝２１９ｂとが連続した略「Ｌ」字形の溝である。周溝２１９ｂは、本体部２０１を正面側（開口端側）から観察した際に差込溝２１９ａに対して時計回り方向（右回り方向）に延伸する溝である。周溝２１９ｂは、差込溝２１９ａ側に本体部２０１の開口端側から背面壁２１２側に向かって傾斜した傾斜部２１９ｃを有する。そのため、後述するフィルター部材２０５の内側に突出した突起２９８を差込溝２１９ａから差し込んだ後、周溝２１９ｂに沿って回転させると、フィルター部材２０５が傾斜部２１９ｃに沿って背面壁２１２側に案内される。
【０１４２】
吐出口形成部２１７ｂは、吐出弁１２５，１２６の弁座として機能する部位である。吐出口形成部２１７ｂには３つの小開口２１６ａから構成される開口２１６が形成されている。開口２１６は、桟２１６ｂによって３つの小開口２１６ａに分割されている。桟２１６ｂは、開口２１６を補強すると共に、吐出弁１２５，１２６の可動部１２８が開口２１６の内側に入り込むのを防止する機能を有する。
【０１４３】
流路形成壁２１８は、周壁部２１７によって囲まれた領域を上方領域２２１、下方領域２２２および左右の流路形成領域２２３，２２５に分割するものである。流路形成壁２１８は、横断部２２６、縦断部２２７および屈曲部２２８に大別される。横断部２２６は、吐出口形成部２１７ｂ，２１７ｂが共に下方に向く姿勢とした際に、左右に延伸して上方領域２２１と流路形成領域２２３，２２５とを区切る壁面である。横断部２２６の両端部分は、周壁部２１７の吐出口形成部２１７ｂ側に向けて屈曲しており、吐出口形成部２１７ｂと一体化されている。また、縦断部２２７は、横断部２２６の中央部に連続し、縦断部２２７に対して略垂直下方に向けて延伸する壁面である。縦断部２２７は、平面視で左右に存在する流路形成領域２２３，２２５を区切る壁面である。屈曲部２２８は、縦断部２２７の末端部分および吐出口形成部２１７ｂに連続し、流路形成領域２２３，２２５と下方領域２２２とを区切る壁面である。
【０１４４】
上方領域２２１は、周壁部２１７の円弧部２１７ａと横断部２２６とに囲まれた領域であり、二つのネジ穴２３０と磁石２３１とが設けられている。また、上方領域２２１内であって、周壁部２１７に沿う位置には仕切壁支持片２２４が二つ設けられている。仕切壁支持片２２４は、周壁部２１７の高さよりも仕切壁２４０（第一の仕切壁）の厚み分だけ低い壁状の部位である。仕切壁支持片２２４は、本体部２０１に対して弁収容部２０２を嵌め込んだ際に仕切壁２４０の裏面側に当接して支持するものである。
【０１４５】
下方領域２２２は、周壁部２１７の円弧部２１７ａと屈曲部２２８によって囲まれた領域であり、ネジ穴２３０と磁石２３２が設けられている。磁石２３１，２３２は、それぞれ背面壁２１２に対して固定されている。
【０１４６】
流路形成領域２２３，２２５は、本体部２０１に対して弁収容部２０２を嵌め込んだ際に水室Ｒ，Ｌを形成する部位である。流路形成領域２２３，２２５は、流路形成壁２１８および周壁部２１７の吐出口形成部２１７ｂによって囲まれた領域である。
【０１４７】
流路形成領域２２３，２２５は、それぞれ流路形成壁２１８の縦断部２２７を境界として対称の関係にある。すなわち、流路形成領域２２３，２２５は、断面形状（開口形状）が背面壁２１２の中心を通る仮想平面Ｖ１を介して対称であり、断面積（開口面積）の比がほぼ１対１となっている。
【０１４８】
流路形成領域２２３，２２５の略中央部には、突起２３６，２３７が設けられている。突起２３６，２３７は、弁収容部２０２の導入弁取り付け部２６７，２６８の略中央部に相当する位置に設けられており、導入弁取り付け部２６７，２６８に取り付けられた導入弁１１０，１１１を支持するものである。
【０１４９】
流路形成領域２２５内であって背面壁２１２の略中央には、三日月状の内連通孔２３３が設けられている。また、流路形成領域２２３内であって背面壁２１２の中央寄りの位置には開口形状が湾曲した外連通孔２３５が設けられている。内連通孔２３３および外連通孔２３５は、共に背面壁２１２の中心近傍に形成されている。さらに具体的には、図３６に示すように、内連通孔２３３および外連通孔２３５は、それぞれ背面壁２１２の中心から、半径ｔの円形領域Ｆ２内に存在している。半径ｔは、背面壁２１２の外接円の半径Ｔの約１／２〜１／４の範囲内にある。本実施形態では、半径ｔは、半径Ｔの１／３程度とされている。また、図３７に示すように、内連通孔２３３は、背面壁２１２の裏面側に突出した管状部２１０に連通している。また、外連通孔２３５は、背面壁２１２の裏面側であって、管状部２１０の外部側の領域に連通している。
【０１５０】
弁収容部２０２は、図３４に示すように本体部２０１の正面側に形成された周壁部２１７によって囲まれた領域の開口部分を閉塞するように取り付けられるものであり、流路構成部２０７を形成するものである。弁収容部２０２は、図３８や図３９に示すように仕切壁２４０と、仕切壁２４０の裏面側に向けて突出した流路形成外壁２４１および流路形成内壁２４２，２４３を有する。
【０１５１】
仕切壁２４０は、図３８（ａ）や図３９（ａ）に示すように表面側から観察すると閉塞部２４６と張出部２４７とに大別される。閉塞部２４６は、円板状であり、２つの導入部２４９，２４９を有する。導入部２４９は、扇形で仕切壁２４０の表裏を連通する開口２７１（浴槽側開口）を周方向に６つ並べて構成される開口部である。
【０１５２】
仕切壁２４０の正面側には、突起２７５が設けられている。突起２７５は、閉塞部２４６の略中央部から突出している。換言すれば、突起２７５は、導入部２４９，２４９の中間位置に存在している。また、張出部２４７およびこれに隣接する部位は、吐出弁１２５，１２６を取り付けるための吐出弁取り付け部２４５，２４５として機能する部位である。閉塞部２４６と張出部２４７との境界部分には、吐出弁１２５，１２６の軸部１３０を挿通するための軸挿通孔２４８が２つずつ形成されている。
【０１５３】
閉塞部２４６の外接円の直径ｒ１は、周壁部２１７の内接円の直径Ｒ１と同一（ｒ１＝Ｒ１）である。そのため、本体部２０１に弁収容部２０２を装着すると、閉塞部２４６が本体部２０１の周壁部２１７によって囲まれた開口領域全体を閉塞する。
【０１５４】
張出部２４７は、閉塞部２４６の外周から閉塞部２４６の径方向外側に張り出した部位である。張出部２４７は、図４０に示すように本体部２０１と弁収容部２０２とを組み合わせた時に本体部２０１の欠落部２２０に相当する位置に設けられている。さらに具体的には、張出部２４７，２４７は、図３９のように共に閉塞部２４６の中心を通る線分Ｙ４よりも下方に偏在している。また、張出部２４７，２４７は、閉塞部２４６の中心を通り線分Ｙ４に垂直な線分Ｙ５に対して対称な位置関係にある。張出部２４７の外接円の直径ｒ２は、本体部２０１の周壁部２１７の外接円の直径Ｒ２と同一（ｒ２＝Ｒ２）とされている。そのため、図４０のように本体部２０１と弁収容部２０２とを一体化すると、張出部２４７の外縁部分が弁収容部２０２の周壁部２１７と面一となる。
【０１５５】
図３８（ｂ）や図３９（ｂ）に示すように、流路形成外壁２４１および流路形成内壁２４２，２４３は、仕切壁２４０の裏面側に向けて突出している。流路形成外壁２４１は、外横断部２５０と外屈曲部２５１とに大別される。外横断部２５０は、弁収容部２０２側の流路形成壁２１８の横断部２２６の外側に沿う形状とされている。外横断部２５０は、上記した線分Ｙ４に対して平行に伸び、両端部が張出部２４７，２４７の側部２４７ａ，２４７ａに沿う形状に屈曲している。また、外屈曲部２５１は、本体部２０１と弁収容部２０２とを一体化した際に弁収容部２０２側の流路形成壁２１８の屈曲部２２８の外側に沿う形状に屈曲している。外屈曲部２５１の両端部は、張出部２４７の側部２４７ｂ，２４７ｂに沿う形状に屈曲している。
【０１５６】
流路形成内壁２４２，２４３は、それぞれ内横断部２５２、内屈曲部２５３、内縦断部２５５および弁対向部２５６が連続して形成された壁面であり、上記した線分Ｙ５に対して対称に形成されている。内横断部２５２および内屈曲部２５３は、それぞれ流路形成外壁２４１の外横断部２５０および外屈曲部２５１に対して間隔ｄを開けて平行に形成された壁面である。ここで、間隔ｄは、本体部２０１の流路形成壁２１８の厚みと略同一とされている。
【０１５７】
内縦断部２５５は、線分Ｙ５に対して平行であり、内横断部２５２の端部と内屈曲部２５３の端部とを繋ぐ壁面である。流路形成内壁２４２，２４３の内縦断部２５５，２５５同士の間隔は、間隔ｄとされている。弁対向部２５６は、張出部２４７に臨む位置に存在し、内横断部２５２および内屈曲部２５３の端部を直線的に繋ぐ壁面であり、内横断部２５２や内屈曲部２５３、内縦断部２５５よりも一段低く形成されている。
【０１５８】
流路形成外壁２４１および流路形成内壁２４２，２４３の間には、図３９（ｂ）にハッチングで示すように嵌合溝２５８が形成されている。嵌合溝２５８は、本体部２０１と弁収容部２０２とを組み合わせて一体化する際に本体部２０１の流路形成壁２１８が嵌り込む溝である。嵌合溝２５８は、横断溝２６０、縦断溝２６１、屈曲溝２６２および弁対向溝２６３が連続した溝である。横断溝２６０は、流路形成外壁２４１の外横断部２５０の内側（内横断部２５２側）に隣接する位置に形成された溝である。また、縦断溝２６１は、流路形成内壁２４２，２４３の内縦断部２５５，２５５間に形成され、横断溝２６０に対して垂直に伸びる溝である。屈曲溝２６２は、外屈曲部２５１に対して内屈曲部２５３側に隣接する位置に形成された溝であり、弁対向溝２６３は、弁対向部２５６の外側（張出部２４７側）に隣接した位置に形成された溝である。横断溝２６０、縦断溝２６１および屈曲溝２６２は、本体部２０１と弁収容部２０２とを組み合わせた際に弁収容部２０２の流路形成壁２１８が嵌る部位である。また、弁対向溝２６３は、本体部２０１と弁収容部２０２とを組み合わせた際に吐出口形成部２１７ｂが嵌り込む溝である。
【０１５９】
流路形成内壁２４２，２４３によって囲まれた流路形成領域２６５，２６６は、本体部２０１の流路形成領域２２３，２２５と組み合わさって水室Ｒ，Ｌを形成するものである。流路形成領域２６５，２６６は、縦断溝２６１を介して対称に形成されている。すなわち、流路形成領域２２３，２２５は、断面形状（開口形状）が仕切壁２４０の中心を通る仮想平面Ｖ２を介して対称であり、断面積（開口面積）の比がほぼ１対１となっている。
【０１６０】
仕切壁２４０の流路形成領域２６５，２６６の中央に相当する位置には導入弁取り付け部２６７，２６８が形成されている。導入弁取り付け部２６７，２６８は、上記した導入弁取り付け部１１２，１１３と同様に傘型の導入弁１１０，１１１の軸部１１６を挿入するための軸挿通孔２７０と、この周囲に配された６つの開口２７１とから構成されている。導入弁取り付け部１１２，１１３には、導入弁１１０，１１１が取り付けられている。
【０１６１】
流路形成外壁２４１の外横断部２５０よりも外周側（図３８（ｂ），図３９（ｂ）において上方側）の領域および外屈曲部２５１よりも外周側（図３８（ｂ），図３９（ｂ）において下方側）の領域には、それぞれ磁石２７２，２７３が固定されている。磁石２７２，２７３は、本体部２０１と弁収容部２０２とを組み合わせた際に本体部２０１側の磁石２３１，２３２に吸着可能な位置に配されている。
【０１６２】
フィルター部材２０５は、図４１に示すように一方が有底で他方が開放された椀状の外装部材２８０の内側にリング状の内装部材２８１を装着したものである。フィルター部材２０５は、正面側（有底側）に主として湯水を吸い込む吸い込み口３０３として使用される多数の孔２８５を有し、周部に上記した仕切部材２０３の吐出部２９６，２９７と連通して湯水を吐出口３００，３０１を形成する開口形成部２７７，２７８を有する。
【０１６３】
外装部材２８０は、ステンレススチール等の金属製であり、図４１や図４２のように正面２８２の中央に設けられた押圧部２８３の周囲に多数の孔２８５が形成されたものである。押圧部２８３は、仕切部材２０３にフィルター部材２０５を装着した際に、仕切壁２４０の表面から突出した突起２７５に当接する位置に設けられている。
【０１６４】
外装部材２８０の外周面２８６には、２つの切り欠き部２８７，２８８と係止孔２８９が設けられている。切り欠き部２８７，２８８は、それぞれ外装部材２８０の開口端側から有底側（正面２８２側）に向けて平面視が略「コ」字形となるように切り欠いた部分であり、浴槽連結装置２００の吐出口３００，３０１の一部を構成するものである。係止孔２８９は、後述する内装部材２８１の係止爪２９２が嵌め込まれる孔である。
【０１６５】
内装部材２８１は、樹脂製であり、図４１に示すように外装部材２８０の内側に嵌め込まれるものである。内装部材２８１は、図４３に示すようにリング状の部材であり、切り欠き部２９０，２９１と、外側に向けて突出した係止爪２９２と、内側に突出した３つの突起２９８とを有する。切り欠き部２９０，２９１は、外装部材２８０に対して装着した際に外装部材２８０の開口端側を向く側の端部（以下、必要に応じて外端部２９９と称す）から他端側に向けて平面視が略「コ」字形となるように切り欠いた部位であり、外装部材２８０の切り欠き部２８７，２８８に相当する位置に設けられている。切り欠き部２９０，２９１の外縁部および外端部２９９には、内装部材２８１の径方向外側に突出したリブ２９３〜２９５が形成されている。
【０１６６】
リブ２９３〜２９５は、図４４に示すように外装部材２８０の内側に内装部材２８１を装着した際に外装部材２８０の切り欠き部２８７，２８８や開口端の縁面に突き当たり、先端部分が外装部材２８０の外周面２８６よりも外側に突出する。そのため、フィルター部材２０５は、着脱のためにつかんでも切り欠き部２８７，２８８や外端部２９９のような端部に直接指等が触れない構造となっている。
【０１６７】
続いて、浴槽連結装置２００の組み立て構造について説明する。浴槽連結装置２００は、図３３に示すように上記した浴槽連結装置１と同様の組み立て構造を有するものであり、浴槽５の壁面に固定された外嵌合部材２０および内嵌合部材２１に対して仕切部材２０３およびフィルター部材２０５を取り付けて浴槽５に対して取り付けられる。
【０１６８】
仕切部材２０３の本体部２０１は、管状部２１０を浴槽５に固定された内嵌合部材２１の貫通孔３７に差し込み、背面壁２１２を内嵌合部材２１のフランジ部３５に面接触させた状態で内嵌合部材２１に対してネジ止めされ、管状部２１０と接続管３１とが接続される。これにより、管状部２１０に繋がる流路形成領域２２３が内連通孔２３３を介して接続管３１および接続配管１５に連通し、管状部２１０の外部空間に繋がる流路形成領域２２５が外連通孔２３５を介して接続配管１６に連通する。
【０１６９】
仕切部材２０３の弁収容部２０２は、裏面側に設けられた嵌合溝２５８や張出部２４７の位置と、本体部２０１に設けられた流路形成壁２１８や欠落部２２０との位置合わせをした状態で本体部２０１の正面側から嵌め込まれる。これにより、図４５に示すように弁収容部２０２の流路形成外壁２４１と流路形成内壁２４２，２４３との間隙に本体部２０１の流路形成壁２１８が嵌り込み、入れ子構造が形成される。また、本体部２０１に対して弁収容部２０２を嵌め込むと、弁収容部２０２の嵌合溝２５８に流路形成壁２１８や吐出口形成部２１７ｂの先端部分が嵌り込む。
【０１７０】
本体部２０１と弁収容部２０２とを組み合わせると、図４０に示すように仕切壁２４０の閉塞部２４６が本体部２０１の開口領域を塞いで本体部２０１の開口端と面一となり、膨出部２４７が欠落部２２０に覆い被さった状態となる。これにより、欠落部２２０と膨出部２４７によって囲まれた吐出部２９６，２９７が形成される。また、図３３等に示すように、吐出部２９６，２９７の内側には、弁収容部２０２の吐出弁取り付け部２４５，２４５に固定された吐出弁１２５，１２６が収容される。吐出弁１２５，１２６は、可動部１２８が吐出口形成部２１７ｂの外側から面接触し、開口２１６を閉塞している。
【０１７１】
弁収容部２０２は、仕切部材２０３の上方領域２２１、下方領域２２２に固定されている磁石２３１，２３２と弁収容部２０２の裏面側に固定されている磁石２７２，２７３との間に発生する吸着力によりしっかりと固定される。
【０１７２】
上記したようにして組み立てられた仕切部材２０３には、仕切壁２４０側からフィルター部材２０５が装着される。フィルター部材２０５は、内装部材２８１に設けられた３つの突起２９８を本体部２０１のフィルター装着溝２１９の差込溝２１９ａに沿って背面壁２１２側に差し込んだ後、周溝２１９ｂに沿って回転させることにより仕切部材２０３に対して装着される。フィルター部材２０５を周溝２１９ｂに沿って回転させると、傾斜部２１９ｃに沿って突起２９８が背面壁２１２側に案内され、正面２８２が仕切壁２４０に近づく。これにより、正面２８２の中央にある押圧部２８３によって仕切壁２４０の突起２７５が背面壁２１２側に押しつけられ、本体部２０１と弁収容部２０２がより一層密着する。
【０１７３】
フィルター部材２０５を装着すると切り欠き部２８７，２８８，２９０，２９１と、仕切部材２０３の吐出部２９６，２９７とが連通し、吐出口３００，３０１が形成される。また、フィルター部材２０５の内側と仕切部材２０３の仕切壁２４０との間には、浴槽５内の湯水が流入する吸い込み室３０２が形成される。
【０１７４】
上記した浴槽連結装置２００において、仕切部材２０３を構成する弁収容部２０２は、磁石２３１，２３２，２７２，２７３間に発生する吸着力によって本体部２０１側に吸着固定されている。さらに、浴槽連結装置２００は、仕切部材２０３に対してフィルター部材２０５を装着することにより押圧部２８３が仕切壁２４０に設けられた突起２７５を押圧する。すなわち、浴槽連結装置２００において、弁収容部２０２は、磁石２３１，２３２，２７２，２７３による吸着力と、フィルター部材２０５と仕切部材２０３の本体部２０１との間に発生する挟持力（押圧力）とによって本体部２０１に対して一体化されている。そのため、浴槽連結装置２００は、ネジや特別な冶具や工具等を用いることなく本体部２０１と弁収容部２０２とを一体化することができると共に、仕切部材２０３に流出入する湯水の水圧等の影響を受ける状況下で使用されても本体部２０１と弁収容部２０２との間に隙間が発生するのを確実に防止できる。
【０１７５】
さらに、浴槽連結装置２００は、フィルター部材２０５を取り外し、本体部２０１に嵌め込まれた弁収容部２０２を引き抜くだけで仕切部材２０３を分解できる。また、浴槽連結装置２００は、図４０に示すように本体部２０１に弁収容部２０２を嵌め込むと弁収容部２０２の張出部２４７，２４７が本体部２０１の欠落部２２０に被さることにより吐出部２９６，２９７が形成されている。そのため、浴槽連結装置２００は、弁収容部２０２が本体部２０１の内側にぴったりと嵌り込んでいるにもかかわらず、吐出部２９６，２９７の開口領域に指を入れて仕切壁２４０の裏側に指をあてがって手前に引っ張ることで容易に弁収容部２０２を取り外すことができる。
【０１７６】
上記したように、浴槽連結装置２００は、容易に仕切部材２０３を本体部２０１と弁収容部２０２とに分解することができる。そのため、浴槽連結装置２００は、仕切部材２０３の内部を容易に掃除できる。
【０１７７】
また、浴槽連結装置２００は、仕切壁２４０の閉塞部２４６が本体部２０１に設けられた周壁部２１７によって囲まれた開口領域内に嵌り、開口領域全体を閉塞するため、仕切部材２０３が薄い。
【０１７８】
浴槽連結装置２００は、弁収容部２０２の流路形成外壁２４１と流路形成内壁２４２，２４３との間隙に本体部２０１の流路形成壁２１８が嵌り込んで入れ子構造が形成されると共に、嵌合溝２５８に流路形成壁２１８や吐出口形成部２１７ｂの先端部分が嵌り込む。また、流路形成外壁２４１や流路形成内壁２４２，２４３、嵌合溝２５８、吐出口形成部２１７ｂは、いずれも仕切部材２０３の径方向あるいは径方向に沿う方向に延伸している。そのため、仕切部材２０３は、フィルター部材２０５を着脱するなどして回転力が作用しても弁収容部２０２が本体部２０１に対して相対回転や位置ズレを起こさない。
【０１７９】
浴槽連結装置２００は、図４５に示すように本体部２０１と弁収容部２０２とが入れ子構造を形成しているため、例え水室Ｒ，Ｌに作用する水圧が不均等となっても本体部２０１に対して弁収容部２０２が傾いたり浮き上がったりしない。
【０１８０】
上記したように、浴槽連結装置２００では、本体部２０１側の流路形成壁２１８が弁収容部２０２側の流路形成外壁２４１と流路形成内壁２４２との間隙に嵌り込んで入れ子構造を形成するものであり、流路形成壁２１８および流路形成外壁２４１と流路形成内壁２４２の高さはそれぞれ仕切部材２０３の背面壁２１２と仕切壁２４０の間隙に近い。そのため、浴槽連結装置２００では、万一水圧等の影響で本体部２０１と弁収容部２０２との間隔が多少大きく開いても、上記した入れ子構造は解除されない。すなわち、本体部２０１と弁収容部２０２との間に形成される入れ子構造は、流路形成壁２１８や流路形成外壁２４１と流路形成内壁２４２の高さに匹敵する程度まで本体部２０１と弁収容部２０２との間隔が開かない限り解除されない。そのため、浴槽連結装置２００は、万一水圧等の影響で本体部２０１と弁収容部２０２との間隔が開いても水室Ｒ，Ｌ間の水密状態が確実に維持される。
【０１８１】
上記実施形態では、流路形成壁２１８や流路形成外壁２４１と流路形成内壁２４２の高さはそれぞれ仕切部材２０３の背面壁２１２と仕切壁２４０の間隙に匹敵する程度であったが、本発明はこれに限定されるものではなくこれらよりも低いものであってもよい。
【０１８２】
また、本実施形態の浴槽連結装置１では、万一水圧等の影響で一時的に本体部２０１と弁収容部２０２との間隔が開いたとしても、水圧等の影響が無くなると磁石２３１，２７２間および磁石２３２，２７３間に発生する吸引力によって弁収容部２０２が本体部２０１側に吸い寄せられ、再び水密に接続された状態となる。
【０１８３】
さらに、浴槽連結装置２００は、水室Ｒ，Ｌを構成する流路形成領域２２３，２６５と流路形成領域２２５，２６６とが流路形成壁２１８の縦断部２２７や嵌合溝２５８の縦断溝２６１に対して対称な構造とされている。そのため、水室Ｒ，Ｌに対して湯水が流出入することによって作用する水圧は略均等であり、バランスが取れている。
【０１８４】
さらに具体的には、例えば浴槽連結装置２００が、接続配管１５に熱源装置４００の往き配管４０１が接続され、接続配管１６に戻り配管４０２が接続されたものである場合、背面壁２１２側に設けられた内連通孔２３３から流路形成領域２２５，２６６によって構成される水室Ｒに湯水が流入し、仕切壁２４０に対して背面壁２１２から遠ざける方向（仕切部材２０３の外方向）に圧力が作用する。一方、流路形成領域２２３，２６５によって構成される水室Ｌ内が負圧になり、仕切壁２４０に設けられた弁取り付け部２６７側の開口２７１から背面壁２１２に設けられた外連通孔２３５に向かう水流が発生する。これにより仕切壁２４０に対して背面壁２１２に近づく方向（仕切部材２０３の内方向）への圧力が作用する。ここで、上記したように浴槽連結装置２００は、水室Ｒ，Ｌが対称に配されているため、仕切部材２０３に対して湯水が出入りすることにより圧力が作用する面積（受圧面積）が水室Ｒ，Ｌの双方で同一である。そのため、上記した仕切部材２０３の外方向に向かう圧力と内方向に向かう圧力とが相殺され、浴槽５側に固定された本体部２０１と弁収容部２０２との間隔は開かない。従って、浴槽連結装置２００は、本体部２０１と弁収容部２０２との間にパッキン等のシール部材を設けなくても水室Ｒ，Ｌを互いに水密な状態に維持でき、水室Ｒ，Ｌ間における湯水のショートサイクルが起こらない。
【０１８５】
浴槽連結装置１は、本体部４０と弁収容部４１との間にパッキン等のようなシール部材を介在させる必要がないため、その分だけ装置構成が簡略であり、製造コストが安い。さらに、上記した構成によれば、シール部材を取り付ける必要がないため、シール部材の取り付け忘れや取り付け不良に伴う仕切部材２２の組み立て不良が起こらない。
【０１８６】
浴槽連結装置２００は、磁石２３１，２３２，２７２，２７３の組み合わせにより発生する吸着力と、フィルター部材２０５の押圧部２８３と仕切壁２４０の突起２７５との組み合わせによって発生する押圧力とを利用して仕切部材２０３を一体化したものであった。しかし、本発明はこれに限定されるものではなく、例えば磁石２３１，２３２，２７２，２７３を設けず、前記した押圧力だけで仕切部材２０３を一体化する構成としたり、押圧部２８３や突起２７５を設けず、前記した吸着力だけで仕切部材２０３を一体化する構成としてもよい。かかる構成によれば、浴槽連結装置２００の装置構成をより一層簡略化できる。
【０１８７】
上記したように磁石２３１，２３２，２７２，２７３を設けない構成とした場合、仕切部材２０３は、フィルター部材２０５を取り外すことによって本体部２０１に対して弁収容部２０２を固定する固定力が解除された状態となる。そのため、磁石２３１，２３２，２７２，２７３を設けない場合は、例えばフィルター部材２０５を取り外す際にフィルター部材２０５と弁収容部２０２との間に残存している水分の影響等でフィルター部材２０５の内側に弁収容部２０２がくっついた状態で外れるおそれがある。また、磁石２３１，２３２，２７２，２７３を用いて固定する場合であっても、掃除等のために仕切部材２０３を分解して弁収容部２０２を取り外した際に、フィルター部材２０５の内側に弁収容部２０２を一時的に収容しておくといった事態が想定される。
【０１８８】
ここで、仮に弁収容部２０２の仕切壁２４０の大きさがフィルター部材２０５の開口面積と略同一である場合は、指等を突っ込んでフィルター部材２０５から弁収容部２０２を取り出す作業は困難な作業であると想定される。しかし、浴槽連結装置２００において弁収容部２０２は、本体部２０１の内側に嵌り込むものであるため、仕切壁２４０がフィルター部材２０５の開口面積よりも小さい。従って、浴槽連結装置２００は、例え何らかの理由で弁収容部２０２がフィルター部材２０５の内側に嵌った状態となっても指で摘むなどして容易に取り出すことができる。
【０１８９】
上記した浴槽連結装置１，２００は、施工冶具１８０を用いて内嵌合部材２１を外嵌合部材２０に対してネジ込むことが可能な構成であったが、本発明はこれに限定されるものではなく、内嵌合部材２１を従来公知の浴槽連結装置と同様の手法により取り付ける構成としてもよい。この場合、施工冶具１８０を装着する必要がないため、内嵌合部材２１の筒状部３６の内部に内フランジ部３９ａや冶具係合部３９ｂを設ける必要がない。
【０１９０】
また、上記各実施形態において採用されている施工冶具１８０は、内嵌合部材２１の筒状部３６に差し込んで使用するものであったが、本発明はこれに限定されるものではなく、例えば図４６に示す施工冶具３２０のように係合部１８３を設けず、フランジ１８２を内嵌合部材２１のフランジ部３５に面接触させた際にネジ用下穴３８に嵌り込む突起状の係合部３２１を設けた構成としてもよい。
【０１９１】
上記した浴槽連結装置１，２００は、漏水検査冶具１９０を装着することにより施工状態の検査を行える構成であったが、本発明はこれに限定されるものではなく、従来公知の浴槽連結装置において採用されているような手法で漏水検査を行うものであってもよい。この場合、漏水検査冶具１９０を装着する必要がないため、内嵌合部材２１の筒状部３６の内部に雌ネジ３９ｃを設ける必要がなく、構成を簡略化できる。
【０１９２】
上記した浴槽連結装置１，２００において、漏水検査を行う際に内嵌合部材２１に対して漏水検査冶具１９０を強く締め付け過ぎると、検査後に漏水検査冶具１９０を取り外す際に内嵌合部材２１が共回りしてしまい、外嵌合部材２０に対する内嵌合部材２１の締結力が低下し、場合によっては浴槽５の壁面と外嵌合部材２０や内嵌合部材２１との間に隙間ができてしまうおそれがある。そのため、漏水検査冶具１９０は、内嵌合部材２１に対してあまり強く締め付け過ぎないことが望ましい。かかる問題に鑑み、上記した漏水検査冶具１９０は、装着部１９２に対してシール部材１９２ｂを設けている。そのため、漏水検査冶具１９０は、内嵌合部材２１に対して強く締め付けなくても漏水検査に必要な気密性や水密性を確保できる。
【０１９３】
ここで、上記実施形態では、漏水検査冶具１９０は、摘み部１９３が角柱状であるため、検査を行う人によっては摘み部１９３を工具等でつかみ内嵌合部材２１に対して強く締め付けてしまうおそれがある。このように漏水検査冶具１９０が強く締め付けられると、漏水検査後に漏水検査冶具１９０を取り外す際に内嵌合部材２１が漏水検査冶具１９０と共回りし、外嵌合部材２０と内嵌合部材２１との締結状態が緩んでしまうおそれがある。そこで、かかる事態が想定される場合は、図４７（ａ）に示す漏水検査冶具３２５のように摘み部１９３を円筒形とするなどして工具でつかんだり、工具を係合させることが困難な構成とすることが望ましい。
【０１９４】
漏水検査冶具１９０、３２５は、内嵌合部材２１の筒状部３６に装着部１９２をネジ込んで使用するものであったが、本発明はこれに限定されるものではなく、例えば図４７（ｂ）に示す漏水検査冶具３３０のように装着部１９２を設けず、フランジ１９１にネジ挿通孔３３１を設けた構成としてもよい。かかる構成によれば、内嵌合部材２１のフランジ部３５に面接触させ、ネジ挿通孔３３１から挿通されたネジをネジ用下穴３８にネジ込むことにより内嵌合部材２１の貫通孔３７を閉塞し、漏水検査を行うことができる。なお、漏水検査冶具３３０のような構成を採用する場合は、フランジ部３５とフランジ部１９１とが気密あるいは液密になるようにパッキン等を介在させるなどの方策を施すことが望ましい。
【０１９５】
浴槽連結装置１，２００では、導入弁取り付け部１１２，１１３や導入弁取り付け部２６７，２６８が流路形成領域１０３，１０５や流路形成領域２６５，２６６を構成する仕切壁８０，２４０と面一であったが、本発明はこれに限定されるものではなく、図４９（ａ）に示すように導入弁取り付け部１１２，１１３に座繰り部３０５を設け、この内部に導入弁１１０，１１１の一部または全部が納まる構造としてもよい。また同様に、浴槽連結装置１，２００は、図４９（ｂ）に示すように仕切壁８０，２４０のうち吐出弁１２５，１２６が取り付けられる部位に座繰り部３０６を設けたり薄肉化した構造としてもよい。かかる構成によれば、導入弁１１０，１１１や吐出弁１２５，１２６の作動領域をより一層仕切壁８０，２４０側に寄せることにより仕切壁８０，２４０と背面壁４４，２１２との間隔を詰め、浴槽連結装置１，２００を薄型化できる。
【０１９６】
浴槽連結装置１，２００は、本体部４０，２０１の背面壁４４，２１２に欠落部８７，２２０を設け、この縁端部に吐出弁１１０，１１１の先端部分が当たる構成とされている。そのため、上記した構成によれば、背面壁４４，２１２の厚み分だけ仕切壁８０，２４０と背面壁４４，２１２との間隔を詰めることができ、浴槽連結装置１，２００を薄型化できる。
【０１９７】
上記したように、浴槽連結装置１，２００は、背面壁４４，２１２に欠落部８７，２２０を設けることにより仕切部材２２，２０３を薄型化したものであったが、本発明はこれに限定されるものではなく、例えば図４８に示すように内嵌合部材２１のフランジ部３５に欠落部８７，２２０と同様の形状の凹部３３５，３３６を設けた構成としてもよい。かかる構成によれば、浴槽連結装置１，２００をより一層薄型化することができる。
【０１９８】
また、浴槽連結装置１，２００は、仕切部材２２，２０３の外周部近傍、すなわち接続配管１５，１６から吐出口１２，１３や吐出口３００，３０１に繋がる一連の流路の末端部分に吐出弁１２５，１２６を設けた構成であるため、外周部に欠落部８７，２２０を設けた構成とされている。しかし、本発明はこれに限定されるものではなく、例えば吐出弁１２５，１２６を前記した一連の流路の中途、すなわち吐出部１４０，１４１や吐出部２９６，２９７よりも仕切部材２２，２０３の中心寄りの位置に吐出弁１２５，１２６を設けた構成としてもよい。この場合は、例えば欠落部８７，２２０を設ける代わりに吐出弁１２５，１２６の可動領域に相当する部位を座繰り形状としたり穴を設けたりしてもよい。すなわち、仕切部材２２，２０３は、吐出弁１２５，１２６の可動部１２８が動作することによって描かれる軌跡と交差する部分に切り欠きや凹部を設けた構成としてもよい。かかる構成によれば、吐出弁１２５，１２６の取り付け位置にかかわらず浴槽連結装置１，２００を薄型化することができる。
【０１９９】
上記実施形態の浴槽連結装置１では、内連通孔４８や外連通孔７０の開口領域の一部である領域Ｑ１，Ｑ２や領域Ｓ１，Ｓ２が、仕切壁８０に取り付けられた導入弁１１０，１１１の可動領域を背面壁４４側に投影して形成される領域Ｐ１，Ｐ２や領域Ｒ１，Ｒ２から外れた位置にある。また、浴槽連結装置２００についても、内連通孔２３３、外連通孔２３５および導入弁取り付け部２６７，２６８の位置関係が浴槽連結装置１の内連通孔４８、外連通孔７０および導入弁取り付け部１１２，１１３と同様であり、同一の導入弁１１０，１１１が採用されている。そのため、内連通孔２３３や外連通孔２３５の開口領域は、一部が導入弁１１０，１１１の可動領域を投影した領域から外れている。そのため、浴槽連結装置１，２００は、導入弁１１０，１１１の弁体部１１５が背面壁４４，２１２側に近接しても弁体部１１５によって内連通孔２３３や外連通孔２３５が閉塞されてしまうという不具合が起こらない。従って、上記した構成によれば、より一層仕切部材２２，２０３を薄型化することができる。
【０２００】
浴槽連結装置１，２００は、導入弁１１０，１１１の可動領域を背面壁４４，２１２側に投影して形成される領域Ｐ１，Ｐ２や領域Ｒ１，Ｒ２の一部を内連通孔４８，２３３や外連通孔７０，２３５の開口領域から外したものであった。しかし、本発明はこれに限定されるものではなく、例えば図５０のように導入弁１１０，１１１の取り付け位置に対して内連通孔４８，２３３や外連通孔７０，２３５の開口領域をずらし、これらの重複部分がない構成とすることも可能である。かかる構成によれば、導入弁１１０，１１１が撓んだ際に弁体部１１５が背面壁４４，２１２に当たる程度まで仕切壁８０，２４０を背面壁４４，２１２側に近接させても弁体部１１５によって内連通孔２３３や外連通孔２３５が閉塞されてしまうといった不具合が起こらない。従って、前記した構成によれば、仕切部材２２，２０３および浴槽連結装置１，２００をより一層薄型化できる。
【０２０１】
上記した浴槽連結装置１，２００は、仕切部材２２の吐出口１２，１３や吐出口３００，３０１を周方向に約１１０度離して配置したものであったが、本発明はこれに限定されるものではなく、さらに近接させた構成としてもよい。
【０２０２】
さらに具体的に説明すると、浴槽連結装置１は、例えば図５１に示すように仕切部材２２の吐出部１４０，１４１を構成する本体部４０や弁収容部４１の欠落部５１，８７をより一層近接させた構成とし、これに合う位置にフィルター部材２３の開口１５１，１５２を設けた構成としてもよい。また、浴槽連結装置１は、例えば図５２に示すように本体部４０や弁収容部４１の欠落部５１，８７を一つに纏め、これに合う位置にフィルター部材２３の開口１５１，１５２を設けた構成としてもよい。浴槽連結装置２００についても、図５１や図５２に示す例と同様に吐出部２９６，２９７を近接させたり、実質的に単一としてもよい。
【０２０３】
浴槽５に吐出される湯水の攪拌効率の観点からすると、浴槽連結装置１，２００は、接続管１５，１６のいずれに熱源装置４００の往き配管４０１や戻り配管４０２が接続された場合であっても湯水を浴槽５の下方に向けて吐出可能な構成とすべく吐出口１２，１３や吐出口３００，３０１をなるべく近接させて配置することが好ましいが、吐出口１２，１３や吐出口３００，３０１をさらに離反させた構成としてもよい。
【０２０４】
また、上記実施形態の浴槽連結装置１，２００は、吐出部１４０，１４１や吐出部２９６，２９７の位置にあわせてフィルター部材２３，２０５の開口１５５，１５６や開口形成部２７７，２７８を形成したものであった。しかし、本発明はこれに限定されるものではなく、例えば開口１５５，１５６や開口形成部２７７，２７８の開口領域の大きさを吐出部１４０，１４１や吐出部２９６，２９７の開口領域と異なる構成としたり、開口１５５，１５６や開口形成部２７７，２７８を一体化し、実質的に単一の開口を有する構成としてもよい。  
【０２０５】
浴槽連結装置２００では、張出部２４７，２４７が本体部２０１の欠落部２２０に被さることにより吐出部２９６，２９７が形成されたものであったが、本発明はこれに限定されるものではなく、例えば張出部２４７を設けず閉塞部２４６を本体部２０１の開口領域に嵌め込むだけの構成としてもよい。また、張出部２４７を設けない場合は、例えば図５３（ａ）や図５３（ｂ）に示すような構成としてもよい。
【０２０６】
さらに具体的には、図５３（ａ）に示す構成では、閉塞部２４６の中心部分に指等を入れることができる凹部３３８が上下に２つ設けられている。そのため、図５３（ａ）に示す構成では凹部３３８，３３８に指を入れて閉塞部２４６を摘むことができ、弁収容部２０２を本体部２０１から容易に取り外すことができる。
【０２０７】
また、図５３（ｂ）に示す構成では、本体部２０１の周壁部２１７には吐出用の開口３４０が設けられており、この内側に吐出弁１２５，１２６が内蔵されている。また、弁収容部２０２の仕切壁２４０には、張出部２４７とは別の張出部３４１が適宜設けられている。本体部２０１の周壁には、張出部３４１に相当する部位に張出部３４１が嵌る切り欠き３４２が設けられ、その下方に隣接する位置に指等を入れることが可能な凹部３４３が設けられている。かかる構成とすれば、凹部３４３に指を入れることにより張出部３４１の裏面側に指をあてがい、弁収容部２０２を容易に本体部２０１から取り外すことができる。
【０２０８】
上記第１，２実施形態の浴槽連結装置１，２００では、円筒形や直方体等の形状の磁石６７，６８，１０６，１０７，２３１，２３２，２７２，２７３を採用した例を例示したが、本発明においてこれらの形状はいかなる形状であってもよく、例えば三角柱状のものや平面視が円弧状、ドーナツ状、多角形状の磁石を採用した構成であってもよい。
【図面の簡単な説明】
【０２０９】
【図１】（ａ）は本発明の第一実施形態である浴槽連結装置の正面図であり、（ｂ）は（ａ）の側面図である。
【図２】図１に示す浴槽連結装置の浴槽への取り付け状態を示す斜視図である。
【図３】（ａ）は図１に示す浴槽連結装置のＡ−Ａ断面図であり、（ｂ）は（ａ）のＰ部拡大図である。
【図４】図１に示す浴槽連結装置の分解斜視図である。
【図５】（ａ）は内嵌合部材を示す正面図であり、（ｂ）は（ａ）のＡ−Ａ断面図である。
【図６】（ａ）は仕切部材を構成する本体部の正面図であり、（ｂ）は（ａ）のＡ−Ａ断面図である。
【図７】図６のＢ部拡大図である。
【図８】（ａ）は弁収容部を正面側から観察した状態を示す正面図であり、（ｂ）は（ａ）のＡ方向矢視図、（ｃ）は（ａ）のＢ−Ｂ断面図である。
【図９】（ａ）は図８（ａ）のＣ部拡大図であり、（ｂ）は（ａ）のＡ−Ａ断面図、（ｃ）は図８（ａ）のＤ方向矢視図、（ｄ）は図８（ａ）のＥ方向矢視図である。
【図１０】（ａ）は図１に示す浴槽連結装置における導入弁および導入部と内連通孔および外連通孔との位置関係を模式的に示す概念図であり、（ｂ）は（ａ）のＡ−Ａ断面図、（ｃ）は（ａ）のＢ−Ｂ断面図である。
【図１１】（ａ）は弁収容部を裏面側から観察した状態を示す正面図であり、（ｂ）は（ａ）のＡ−Ａ断面図である。
【図１２】（ａ）は導入弁を示す断面図であり、（ｂ），（ｃ）はそれぞれ（ａ）に示す導入弁を示す斜視図である。
【図１３】（ａ）は吐出弁を示す正面図であり、（ｂ）は（ａ）に示す吐出弁の側面図、（ｃ）は（ａ）に示す吐出弁の斜視図である。
【図１４】（ａ）は通常時の図３のＱ部拡大図であり、（ｂ）は湯水の吐出時におけるＱ部拡大図である。
【図１５】図６に示す本体部と図１１に示す弁収容部とを組み合わせた際の吐出部近傍を示す拡大図である。
【図１６】図１に示す浴槽連結装置において採用されている流路構成体の変形例を示す斜視図である。
【図１７】施工冶具を示す斜視図である。
【図１８】（ａ）は漏水検査冶具を示す分解斜視図であり、（ｂ）は（ａ）に示す漏水検査冶具の断面図である。
【図１９】（ａ），（ｂ），（ｃ），（ｄ）はそれぞれ図１に示す浴槽連結装置において採用されている磁石の変形例を示す斜視図であり、（ｅ）はこれらの磁石の組み合わせ構造を示す分解断面図である。
【図２０】（ａ），（ｂ）はそれぞれ図１に示す浴槽連結装置において採用されている磁石の配置の変形例を示す斜視図であり、（ｃ）はこれらの磁石の組み合わせ構造を示す分解断面図である。
【図２１】（ａ），（ｂ）はそれぞれ図１に示す浴槽連結装置において採用されている磁石の配置の変形例を示す正面図である。
【図２２】（ａ），（ｂ）はカバー部材を示す斜視図であり、（ｃ），（ｄ）は（ａ），（ｂ）に示すカバー部材と磁石との位置関係を示す分解斜視図である。
【図２３】（ａ），（ｂ）は、図１に示す浴槽連結装置の弁取り付け部における導入弁の取り付け構造を示す断面図である。
【図２４】（ａ）はフィルター部材の分解状態を示す側面図であり、（ｂ）はフィルター部材を内側から観測した状態を示す正面図である。
【図２５】浴槽に対する外嵌合部材および内嵌合部材の取り付け構造を示す斜視図である。
【図２６】仕切部材が内蔵する吐出弁および導入弁の組み合わせを示す回路図である。
【図２７】（ａ），（ｂ）は、図１に示す浴槽連結装置に形成される流路を示す説明図である。
【図２８】（ａ）は第一の検査方法により漏水検査を行う場合の漏水検査冶具の使用状態を模式的に示す概念図であり、（ｂ）は第二の検査方法により漏水検査を行う場合の漏水検査冶具の使用状態を模式的に示す概念図である。
【図２９】図１に示す浴槽連結装置における湯水の流れを説明する断面図である。
【図３０】図１に示す浴槽連結装置における湯水の流れを説明する断面図である。
【図３１】図１に示す浴槽連結装置における湯水の流れを説明する断面図である。
【図３２】（ａ）は本発明の第二実施形態である浴槽連結装置の正面図であり、（ｂ）は（ａ）の側面図である。
【図３３】図３２に示す浴槽連結装置のＡ−Ａ断面図である。
【図３４】図３２に示す浴槽連結装置の分解斜視図である。
【図３５】図３２に示す浴槽連結装置において採用されている仕切部材の本体部を正面側から観察した状態を示す斜視図である。
【図３６】（ａ）は図３５に示す本体部を示す正面図であり、（ｂ）は（ａ）のＡ方向矢視図である。
【図３７】図３２に示す浴槽連結装置において採用されている仕切部材の本体部を背面側から観察した状態を示す斜視図である。
【図３８】（ａ）は図３２に示す浴槽連結装置において採用されている仕切部材の弁収容部を正面側から観察した状態を示す斜視図であり、（ｂ）は（ａ）に示す弁収容部を背面側から観察した状態を示す斜視図である。
【図３９】（ａ）は図３２に示す浴槽連結装置において採用されている仕切部材の弁収容部の正面図であり、（ｂ）は（ａ）に示す弁収容部の背面図である。
【図４０】図３２に示す浴槽連結装置において採用されている仕切部材を示す斜視図である。
【図４１】図３２に示す浴槽連結装置において採用されているフィルター部材を示す分解斜視図である。
【図４２】（ａ）は図４１に示すフィルター部材を構成する外装部材を示す正面図であり、（ｂ）は（ａ）のＡ方向矢視図である。
【図４３】（ａ）は図４１に示すフィルター部材を構成する内装部材を示す側面図であり、（ｂ）は（ａ）のＡ方向矢視図、（ｃ）は（ａ）のＢ部拡大図である。
【図４４】図４１に示すフィルター部材の開口形成部近傍の構造を示す斜視図である。
【図４５】（ａ）は図４０に示す仕切部材の分解状態を模式的に示す概念図であり、（ｂ）は仕切部材の組み立て構造を模式的に示す概念図である。
【図４６】図１７に示す施工冶具の変形例を示す斜視図である。
【図４７】（ａ）は図１８に示す漏水検査冶具の変形例を示す斜視図あり、（ｂ）は別の変形例を示す斜視図である。
【図４８】図１に示す浴槽連結装置の変形例を示す分解斜視図である。
【図４９】（ａ）は仕切部材を構成する弁収容部の変形例の導入弁取り付け部近傍の構造を示す断面図であり、（ｂ）は吐出弁取り付け部近傍の構造を示す断面図である。
【図５０】図１に示す浴槽連結装置における導入弁および導入部と内連通孔および外連通孔との位置関係の変形例を模式的に示す概念図である。
【図５１】（ａ），（ｂ）はそれぞれ仕切部材の本体部および弁収容部の変形例を示す正面図である。
【図５２】（ａ），（ｂ）はそれぞれ仕切部材の本体部および弁収容部の別の変形例を示す正面図である。
【図５３】（ａ）は、弁収容部の変形例を示す斜視図であり、（ｂ）は仕切部材の変形例を示す斜視図である。
【符号の説明】
【０２１０】
１，２００  浴槽連結装置
５  浴槽
２２，２０３  仕切部材
２３，２０５  フィルター部材
４０，２０１  本体部（固定体）
４１，２０２  弁収容部（分離体）
４４，２１２  背面壁（第二の仕切壁）
８０，２４０  仕切壁（第一の仕切壁）
８３，２７１  開口（浴槽側開口）
１１０，１１１  導入弁（弁）
１１５  弁体部（可動部）
１１６  軸部（支持部）
２１７  周壁部
４００  熱源装置
Ｒ，Ｌ  水室（湯水流通空間）
【図１】
2006105549.tif 000003
【図２】
2006105549.tif 000004
【図３】
2006105549.tif 000005
【図４】
2006105549.tif 000006
【図５】
2006105549.tif 000007
【図６】
2006105549.tif 000008
【図７】
2006105549.tif 000009
【図８】
2006105549.tif 000010
【図９】
2006105549.tif 000011
【図１０】
2006105549.tif 000012
【図１１】
2006105549.tif 000013
【図１２】
2006105549.tif 000014
【図１３】
2006105549.tif 000015
【図１４】
2006105549.tif 000016
【図１５】
2006105549.tif 000017
【図１６】
2006105549.tif 000018
【図１７】
2006105549.tif 000019
【図１８】
2006105549.tif 000020
【図１９】
2006105549.tif 000021
【図２０】
2006105549.tif 000022
【図２１】
2006105549.tif 000023
【図２２】
2006105549.tif 000024
【図２３】
2006105549.tif 000025
【図２４】
2006105549.tif 000026
【図２５】
2006105549.tif 000027
【図２６】
2006105549.tif 000028
【図２７】
2006105549.tif 000029
【図２８】
2006105549.tif 000030
【図２９】
2006105549.tif 000031
【図３０】
2006105549.tif 000032
【図３１】
2006105549.tif 000033
【図３２】
2006105549.tif 000034
【図３３】
2006105549.tif 000035
【図３４】
2006105549.tif 000036
【図３５】
2006105549.tif 000037
【図３６】
2006105549.tif 000038
【図３７】
2006105549.tif 000039
【図３８】
2006105549.tif 000040
【図３９】
2006105549.tif 000041
【図４０】
2006105549.tif 000042
【図４１】
2006105549.tif 000043
【図４２】
2006105549.tif 000044
【図４３】
2006105549.tif 000045
【図４４】
2006105549.tif 000046
【図４５】
2006105549.tif 000047
【図４６】
2006105549.tif 000048
【図４７】
2006105549.tif 000049
【図４８】
2006105549.tif 000050
【図４９】
2006105549.tif 000051
【図５０】
2006105549.tif 000052
【図５１】
2006105549.tif 000053
【図５２】
2006105549.tif 000054
【図５３】
2006105549.tif 000055